(57)【要約】  無線通信端末は、上りリソースが割り当てられていない場合、当該端末に上りデータが生起すると、第１セルよりもセルカバレッジが小さい第２セル上の個別スケジューリング要求リソースを用いてスケジューリング要求を送信し、スケジューリング要求に応じた上りリソースの割り当てが行われない場合、ランダムアクセスプリアンブルを送信して、無線通信装置に上りリソースの割り当てを要求するランダムアクセス手続きを行う。
2013179590.tif 000002
【特許請求の範囲】
【請求項１】
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、
を備えた無線通信端末。
【請求項２】
請求項１に記載の無線通信端末であって、
前記ＲＡＣＨ管理部は、
前記スケジューリング要求を送信しても上りリソースが割り当てられない場合、前記第２セルでのランダムアクセス手続きを行い、
前記第２セルでのランダムアクセス手続きに失敗した場合、前記第１セルでのランダムアクセス手続きを行う無線通信端末。
【請求項３】
請求項１に記載の無線通信端末であって、
前記ＲＡＣＨ管理部は、
前記スケジューリング要求を送信しても上りリソースが割り当てられない場合、前記第１セルでのランダムアクセス手続きを行う無線通信端末。
【請求項４】
請求項１に記載の無線通信端末であって、
所定の判断方法により前記上りデータの優先度の高低を判断する優先度判断部を備え、
前記ＲＡＣＨ管理部は、
前記上りデータの優先度が高いと判断された場合、前記第１セルでのランダムアクセス手続きを行い、
前記上りデータの優先度が低いと判断された場合、前記第２セルでのランダムアクセス手続きを行う無線通信端末。
【請求項５】
請求項４に記載の無線通信端末であって、
前記ＲＡＣＨ管理部は、
前記第２セルでのランダムアクセス手続きに失敗した場合、前記第１セルでのランダムアクセス手続きを行う無線通信端末。
【請求項６】
請求項１〜５のいずれか一項に記載の無線通信端末であって、
前記スケジューリング要求を送信しても上りリソースが割り当てられない場合とは、前記ＤＳＲ管理部が前記スケジューリング要求を所定回数、前記無線通信装置に送信しても、前記無線通信端末に上りリソースが割り当てられない場合である無線通信端末。
【請求項７】
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信する場合のパスロス値を閾値と比較する比較部と、
前記パスロス値が前記閾値以上の場合、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記パスロス値が前記閾値未満の場合、ランダムアクセスプリアンブルを前記無線通信装置に送信して、前記無線通信装置に上りリソースの割り当てを要求する前記第１セルでのランダムアクセス手続きを行うＲＡＣＨ管理部と、
を備えた無線通信端末。
【請求項８】
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、所定の判断方法により前記上りデータの優先度の高低を判断する優先度判断部と、
前記上りデータの優先度が低いと判断された場合、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記上りデータの優先度が高いと判断された場合、ランダムアクセスプリアンブルを前記無線通信装置に送信して、前記無線通信装置に上りリソースの割り当てを要求する前記第１セルでのランダムアクセス手続きを行うＲＡＣＨ管理部と、
を備えた無線通信端末。
【請求項９】
請求項７又は８に記載の無線通信端末であって、
前記ＤＳＲ管理部が前記スケジューリング要求を所定回数、前記無線通信装置に送信しても、前記無線通信端末に上りリソースが割り当てられない場合、前記ＲＡＣＨ管理部は、前記第１セルでのランダムアクセス手続きを行う無線通信端末。
【請求項１０】
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、所定の判断方法により前記上りデータの優先度の高低を判断する優先度判断部と、
前記第１セル又は前記第２セル上の個別スケジューリング要求リソースを用いてスケジューリング要求を前記無線通信装置に送信して、前記無線通信装置に上りリソースの割り当てを要求する処理をするＤＳＲ管理部と、を備え、
前記上りデータの優先度が低いと判断された場合、前記ＤＳＲ管理部は、前記第２セル上の個別スケジューリング要求リソースを用いたスケジューリング要求を送信し、
前記上りデータの優先度が高いと判断された場合、又は、前記第２セルでスケジューリング要求を送信しても上りリソースが割り当てられない場合、前記ＤＳＲ管理部は、前記第１セル上の個別スケジューリング要求リソースを用いたスケジューリング要求を送信する無線通信端末。
【請求項１１】
請求項１０に記載の無線通信端末であって、
前記第１セルでスケジューリング要求を送信しても上りリソースが割り当てられない場合、ランダムアクセスプリアンブルを前記無線通信装置に送信して、前記無線通信装置に上りリソースの割り当てを要求する前記第１セルでのランダムアクセス手続きを行うＲＡＣＨ管理部を備えた無線通信端末。
【請求項１２】
請求項１０又は１１に記載の無線通信端末であって、
前記スケジューリング要求を送信しても上りリソースが割り当てられない場合とは、前記ＤＳＲ管理部が前記スケジューリング要求を所定回数、前記無線通信装置に送信しても、前記無線通信端末に上りリソースが割り当てられない場合である無線通信端末。
【請求項１３】
キャリアアグリゲーションで使用するコンポーネントキャリアセットを構成する２種類のセルの内、第１セルよりもセルカバレッジが小さい第２セルを提供する、無線通信端末と通信可能な無線通信装置であって、
前記無線通信端末が利用可能な前記第２セル上の個別スケジューリング要求リソースに関する設定情報を含む個別制御情報を前記無線通信端末に送信する無線通信装置。
【請求項１４】
請求項１３に記載の無線通信装置であって、
前記個別制御情報は、上りリソースの割り当てを求めるために前記第２セルにおいて前記無線通信端末主導のランダムアクセス手続きの開始を指示する許容情報を含む無線通信装置。
【請求項１５】
キャリアアグリゲーションで使用するコンポーネントキャリアセットを構成する２種類のセルの内、第１セルよりもセルカバレッジが小さい第２セルを提供する、無線通信端末と通信可能な無線通信装置と、
前記無線通信装置に上りリソースの割り当てを要求するためのスケジューリング要求を送信する際に用いる個別スケジューリング要求リソースが前記第２セル上に設定された無線通信端末と、を備えた無線通信システムであって、
前記無線通信装置は、前記無線通信端末が利用可能な前記第２セル上の個別スケジューリング要求リソースに関する設定情報を含む個別制御情報を前記無線通信端末に送信し、
前記無線通信端末は、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、を備える無線通信システム。
【請求項１６】
無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された前記無線通信端末による上りリソース要求処理方法であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理を行い、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行う上りリソース要求処理方法。
【発明の詳細な説明】
【技術分野】
【０００１】
本開示は、無線通信端末が送信したスケジューリング要求を受信する無線通信装置、無線通信端末、無線通信システム及び上りリソース要求処理方法に関する。
【背景技術】
【０００２】
標準化団体3GPP（The 3rd Generation Partnership Project）は、LTE（Long Term Evolution）方式と互換性のある次世代の通信規格として、LTE-Advanced（Long Term Evolution Advanced：LTE-A）の標準化を進めている。LTEでは、ネットワーク（Evolved Universal Terrestrial Radio Access Network：E-UTRAN）の無線通信装置（以下「NE（Network Entity）」ともいう）は、１つ以上の通信セルを提供する。【０００３】
無線通信装置は、無線通信基地局（E-UTRAN NodeB：eNB）や張り出し基地局（Remote Radio Head：RRH）、中継装置（リレーノード又はリピータ）等といった、無線通信端末（User Equipment：UE）のアクセスポイントとなる装置である。無線通信端末は、無線通信装置が提供する１つ以上の通信セルのうちの１つの通信セルに属する。なお、無線通信端末は、複数の周波数を使用し、複数の通信セルに属する場合もある。また、無線通信端末は、１つの周波数の複数の通信セルと送受信を行う場合もある。以下、無線通信装置を「基地局」と呼び、無線通信端末を「端末」と呼び、通信セルを「セル」と呼ぶ。
【先行技術文献】
【非特許文献】
【０００４】
【非特許文献１】3GPP TS36.321 V10.4.0, “Evolved Universal Terrestrial Radio Access (E-UTRA) Medium Access Control(MAC) protocol specification”
【非特許文献２】3GPP TS36.331 v10.4.0, “Evolved Universal Terrestrial Radio Access (E-UTRA) Radio Resource Control(RRC)”
【発明の概要】
【発明が解決しようとする課題】
【０００５】
LTEでは、端末が新しい送信のための上り共有チャネルリソース（Physical Uplink Shared Channel：PUSCH）を要求するために「スケジューリング要求（Scheduling Request：SR）」を使用する。また、端末がスケジューリング要求（SR）を送信するためには、PUCCH（Physical Uplink Control CHannel）リソース（以下、「個別スケジューリング要求リソース（Dedicated Scheduling Request：D-SR）」と呼ぶ）が設定される。個別スケジューリング要求リソースが割り当てられている場合、端末で上りデータが生起して送信可能（be available for transmission）になると、上りリソースが割り当てられていなければ、当該端末は、個別スケジューリング要求リソースを用いてスケジューリング要求（SR）を送信する。一方、個別スケジューリング要求リソースが割り当てられていない場合、端末で上りデータが生起して送信可能になると、上りリソースが割り当てられていなければ、当該端末は、上りリソースの割り当てを求めるためにランダムアクセス手続き（Random Access Procedure）を開始する。【０００６】
LTE-Advancedでは、個別スケジューリング要求リソースを端末に割り当てる場合、PCell（Primary Serving Cell）に対してのみ割り当てる方法が議論されている。図２７に示すヘテロジニアスネットワーク（Heterogeneous Network：HetNet）のように、複数の無線通信装置が各々異なる周波数でセルカバレッジが異なるセルを運用する場合、端末が同時に複数のセルに接続することが考えられる。この場合、端末の移動制御を容易に行うため、セルカバレッジが大きいセル（例えば、マクロセル）をPCellとして用い、セルカバレッジが小さいセル（例えば、ピコセル又はフェムトセル等の低送信電力セル）をSCell（Secondary Serving Cell）として用いることが考えられる。しかし、PCellにおいては、SCellと比較して、端末と無線通信装置の間の伝搬損失が大きい。このため、PCellを用いたパケットの伝送時の端末の送信電力は大きく設定され、その結果、端末の消費電力が大きくなる。【０００７】
本開示の目的は、無線通信端末における消費電力を低減しつつ、無線通信装置との間のコネクティビティの信頼性を維持可能な無線通信端末、無線通信装置、無線通信システム及び上りリソース要求処理方法を提供することである。
【課題を解決するための手段】
【０００８】
本開示は、無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、を備えた無線通信端末を提供する。【０００９】
本開示は、無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、前記無線通信端末に上りリソースが割り当てられていない場合、前記無線通信端末に上りデータが生起すると、前記第２セル上の個別スケジューリング要求リソースを用いてスケジューリング要求を前記無線通信装置に送信する場合のパスロス値を閾値と比較する比較部と、前記パスロス値が前記閾値以上の場合、前記第２セル上の個別スケジューリング要求リソースを用いてスケジューリング要求を前記無線通信装置に送信して、前記無線通信装置に上りリソースの割り当てを要求する処理をするＤＳＲ管理部と、前記パスロス値が前記閾値未満の場合、ランダムアクセスプリアンブルを前記無線通信装置に送信して、前記無線通信装置に上りリソースの割り当てを要求する前記第１セルでのランダムアクセス手続きを行うＲＡＣＨ管理部と、を備えた無線通信端末を提供する。【００１０】
本開示は、無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、前記無線通信端末に上りリソースが割り当てられていない場合、前記無線通信端末に上りデータが生起すると、所定の判断方法により前記上りデータの優先度の高低を判断する優先度判断部と、前記上りデータの優先度が低いと判断された場合、前記第２セル上の個別スケジューリング要求リソースを用いてスケジューリング要求を前記無線通信装置に送信して、前記無線通信装置に上りリソースの割り当てを要求する処理をするＤＳＲ管理部と、前記上りデータの優先度が高いと判断された場合、ランダムアクセスプリアンブルを前記無線通信装置に送信して、前記無線通信装置に上りリソースの割り当てを要求する前記第１セルでのランダムアクセス手続きを行うＲＡＣＨ管理部と、を備えた無線通信端末を提供する。【００１１】
本開示は、無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、前記無線通信端末に上りリソースが割り当てられていない場合、前記無線通信端末に上りデータが生起すると、所定の判断方法により前記上りデータの優先度の高低を判断する優先度判断部と、前記第１セル又は前記第２セル上の個別スケジューリング要求リソースを用いてスケジューリング要求を前記無線通信装置に送信して、前記無線通信装置に上りリソースの割り当てを要求する処理をするＤＳＲ管理部と、を備え、前記上りデータの優先度が低いと判断された場合、前記ＤＳＲ管理部は、前記第２セル上の個別スケジューリング要求リソースを用いたスケジューリング要求を送信し、前記上りデータの優先度が高いと判断された場合、又は、前記第２セルでスケジューリング要求を送信しても上りリソースが割り当てられない場合、前記ＤＳＲ管理部は、前記第１セル上の個別スケジューリング要求リソースを用いたスケジューリング要求を送信する無線通信端末を提供する。【００１２】
本開示は、キャリアアグリゲーションで使用するコンポーネントキャリアセットを構成する２種類のセルの内、第１セルよりもセルカバレッジが小さい第２セルを提供する、無線通信端末と通信可能な無線通信装置であって、前記無線通信端末が利用可能な前記第２セル上の個別スケジューリング要求リソースに関する設定情報を含む個別制御情報を前記無線通信端末に送信する無線通信装置を提供する。【００１３】
本開示は、キャリアアグリゲーションで使用するコンポーネントキャリアセットを構成する２種類のセルの内、第１セルよりもセルカバレッジが小さい第２セルを提供する、無線通信端末と通信可能な無線通信装置と、前記無線通信装置に上りリソースの割り当てを要求するためのスケジューリング要求を送信する際に用いる個別スケジューリング要求リソースが前記第２セル上に設定された無線通信端末と、を備えた無線通信システムであって、前記無線通信装置は、前記無線通信端末が利用可能な前記第２セル上の個別スケジューリング要求リソースに関する設定情報を含む個別制御情報を前記無線通信端末に送信し、前記無線通信端末は、前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、を備える無線通信システムを提供する。【００１４】
本開示は、無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された前記無線通信端末による上りリソース要求処理方法であって、前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理を行い、前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行う上りリソース要求処理方法を提供する。
【発明の効果】
【００１５】
本開示に係る無線通信端末、無線通信装置、無線通信システム及び上りリソース要求処理方法によれば、無線通信端末における消費電力を低減しつつ、無線通信装置との間のコネクティビティの信頼性を維持できる。
【図面の簡単な説明】
【００１６】
【図１】第１〜第５の実施形態に適用されるHetNet環境の無線通信システムの一例を示す図
【図２】第１の実施形態の無線通信システムにおける端末UE1と無線通信装置NE11,NE12の間の処理を含むタイミングチャート
【図３】端末UE1がスケジューリング要求を行っても上りリソースが割り当てられない場合に、端末UE1と無線通信装置NE12の間で行われる処理を含むタイミングチャートの一例を示す図
【図４】図３に示す無線通信装置NE12に対するランダムアクセス手続きが失敗した場合に、端末UE1と無線通信装置NE11の間で行われる処理を含むタイミングチャートの一例を示す図
【図５】第１の実施形態の無線通信システムを構成する端末UE1のブロック図
【図６】第１の実施形態の無線通信システムを構成する無線通信装置NE11のブロック図
【図７】第１の実施形態の無線通信システムを構成する無線通信装置NE12のブロック図
【図８】第１の実施形態の無線通信システムにおいて、端末UE1に上りリソースが割り当てられていない状態で端末UE1に上りデータが生起して送信可能になった場合の端末UE1の動作を示すフローチャート
【図９】第２の実施形態の無線通信システムにおける端末UE2と無線通信装置NE21,NE22の間の処理を含むタイミングチャートの例を示す図
【図１０】端末UE2がスケジューリング要求を行っても上りリソースが割り当てられない場合に、端末UE2と無線通信装置NE21の間で行われる処理を含むタイミングチャートの一例を示す図
【図１１】第２の実施形態の無線通信システムを構成する端末UE2のブロック図
【図１２】第２の実施形態の無線通信システムにおいて、端末UE2に上りリソースが割り当てられていない状態で端末UE2に上りデータが生起して送信可能になった場合の端末UE2の動作を示すフローチャート
【図１３】第３の実施形態の無線通信システムにおける端末UE3と無線通信装置NE31,NE32の間の処理を含むタイミングチャートの例を示す図
【図１４】端末UE3がスケジューリング要求を行っても上りリソースが割り当てられない場合に、端末UE3と無線通信装置NE31又は無線通信装置NE32の間で行われる処理を含むタイミングチャートの一例を示す図
【図１５】第３の実施形態の無線通信システムを構成する端末UE3のブロック図
【図１６】第３の実施形態の無線通信システムを構成する無線通信装置NE31のブロック図
【図１７】第３の実施形態の無線通信システムにおいて、端末UE3に上りリソースが割り当てられていない状態で端末UE3に上りデータが生起して送信可能になった場合の端末UE3の動作を示すフローチャート
【図１８】第４の実施形態の無線通信システムにおける端末UE4と無線通信装置NE41,NE42の間の処理を含むタイミングチャートの一例を示す図
【図１９】第４の実施形態の無線通信システムを構成する端末UE4のブロック図
【図２０】第４の実施形態の無線通信システムを構成する無線通信装置NE41のブロック図
【図２１】第４の実施形態の無線通信システムにおいて、端末UE4に上りリソースが割り当てられていない状態で端末UE4に上りデータが生起して送信可能になった場合の端末UE4の動作を示すフローチャート
【図２２】第５の実施形態の無線通信システムにおける端末UE5と無線通信装置NE51,NE52の間の処理を含むタイミングチャートの一例を示す図
【図２３】端末UE5がスケジューリング要求を行っても上りリソースが割り当てられない場合に、端末UE5と無線通信装置NE51の間で行われる処理を含むタイミングチャートの一例を示す図
【図２４】第５の実施形態の無線通信システムを構成する端末UE5のブロック図
【図２５】第５の実施形態の無線通信システムを構成する無線通信装置NE51のブロック図
【図２６】第５の実施形態の無線通信システムにおいて、端末UE5に上りリソースが割り当てられていない状態で端末UE5に上りデータが生起して送信可能になった場合の端末UE5の動作を示すフローチャート
【図２７】HetNet環境の無線通信システムの一例を示す図
【発明を実施するための形態】
【００１７】
LTEでのスケジューリング要求（Scheduling Request：SR）は、無線通信端末が新しい送信のための上り共有チャネルリソース（Physical Uplink Shared Channel：PUSCH）を無線通信装置に要求するために使用される。無線通信端末は、スケジューリング要求（SR）がトリガーされ、当該スケジューリング要求（SR）がキャンセルされるまで、スケジューリング要求（SR）を保留とみなす。このため、MAC PDU（Medium Access Control Packet Data Unit）がまとめられ、このMAC PDUがバッファ状態報告（Buffer Status Report：BSR）をトリガーした最後のイベントまでのバッファ状態を含んだBSRを含む場合に、全ての保留中のスケジューリング要求（SR）はキャンセルされ、タイマー（sr-ProhibitTimer）は停止される。あるいは、上り割り当て（UL grant）が全ての保留中のデータを送信可能に適応できる場合に、全ての保留中のスケジューリング要求（SR）はキャンセルされ、タイマー（sr-ProhibitTimer）は停止される。
【００１８】
仮に、スケジューリング要求（SR）がトリガーされ、保留中のスケジューリング要求（SR）がない場合、無線通信端末はカウンター（SR_COUNTER）を０にセットする。一つのスケジューリング要求（SR）が保留されている間、無線通信端末は、各TTI（Transmission Time Interval）において以下の動作を行わなわなければならない。
（１）このTTIで上り共有チャネルのリソースが送信のために有効でない場合において、スケジューリング要求（SR）のために設定されるPUCCHリソースがどのTTIにおいても有効でなければ、無線通信端末は、ランダムアクセス手続き（Random Access Procedure）を開始し、全ての保留中のスケジューリング要求（SR）をキャンセルする。
（２）このTTIで上り共有チャネルのリソースが送信のために有効でない場合において、上記以外の場合は、このTTIにスケジューリング要求（SR）のために設定されるPUCCHリソースが有効である。したがって、このTTIがmeasurement gapの一部ではなく、タイマー（sr-prohibitTimer）が走っていない場合、無線通信端末のMAC層は以下の動作を行う。
【００１９】
カウンター(SR_COUNTER)の値が最大送信回数（dsr-TransMax）よりも低い場合、無線通信端末のMAC層は、
１．カウンター（SR_COUNTER）の値を１増やす。
２．物理層にPUCCHリソース上でスケジューリング要求の信号を送ることを指示する。
３．タイマー（sr-ProhibitTimer）を開始する。
【００２０】
一方、上記以外の場合、無線通信端末のMAC層は、
１．RRC（Radio Resource Control）にPUCCH/SRSの解放（release）を伝える。
２．設定された下り割り当てと上り割り当てを消す（clear）。
３．ランダムアクセス手続きを開始し、全ての保留中のスケジューリング要求（SR）をキャンセルする。
【００２１】
無線通信端末の物理層は、無線通信端末のMAC層からの指示に応じて、スケジューリング要求（SR）を無線通信装置に送信する。また、RRC層は、MAC層からの指示に応じて、PUCCH/SRSの個別設定を解放する。タイマー（sr-ProhibitTimer）は、制御情報によって設定される場合のみ使用され、制御情報によって値も設定される。タイマー（sr-ProhibitTimer）が満了すると、無線通信端末はタイマー（sr-ProhibitTimer）を停止する。なお、最大送信回数（dsr-TransMax）も制御情報によって設定される。
【００２２】
以下、本開示に係る無線通信システムの実施の形態について、図面を参照して詳細に説明する。以下説明する実施形態の無線通信システムは、少なくとも１つの無線通信端末と、無線通信ネットワークを介して無線通信端末と通信可能な複数の無線通信装置とを備える。以下の説明では、無線通信端末を単に「端末」という。端末は、例えば携帯電話機である。また、以下の説明において、無線通信装置は、例えば、無線通信基地局（E-UTRAN NodeB：eNB）、無線通信基地局から離れた位置に設置される張り出し基地局（Remote Radio Head：RRH）、無線通信基地局等と無線で接続される中継装置（リレーノード又はリピータ）、フェムト基地局及びピコ基地局等を総称した、端末が無線で通信可能な装置である。なお、張り出し基地局（RRH）は、無線通信基地局（eNB）の無線部（Radio Frequency部：ＲＦ部）と同様の機能を有し、光ファイバケーブル等の有線ケーブルで無線通信基地局（eNB）に接続されている。
【００２３】
無線通信システムは、3GPP（The 3rd Generation Partnership Project）で規格化されているLTE又はLTE-Advancedの移動通信技術を利用する。但し、無線通信システムが利用する移動通信技術は、上記規格に限られず、無線ＬＡＮ（Wireless Local Area Network）、ＩＥＥＥ８０２.１６、ＩＥＥＥ８０２.１６ｅ若しくはＩＥＥＥ８０２.１６ｍ等のＷｉＭＡＸ（Worldwide Interoperability for Microwave Access）、３ＧＰＰ２、ＳＡＥ（System Architecture Evolution）、ＵＭＴＳ(Universal Mobile Telecommunications System)、又は第四世代移動通信規格であっても良い。
【００２４】
各無線通信装置は、少なくとも１つの通信セルを構成する。通信セルは、地理的エリアに対して割り当てられた識別子又は当該地理的エリアで用いられる周波数の相違に基づいて、端末がユニークに識別できる無線ネットワークオブジェクトをいう。
【００２５】
以下の説明では、通信セルを単に「セル」という。１つの無線通信装置又は１つの受信点によって、１つ以上のキャリア周波数の各々につき、１つ以上のセルが構成される。なお、上記構成は基本概念であり、無線通信装置が他の無線通信装置と協調して１つのセルを構成しても良い。端末は、無線通信装置が構成する少なくとも１つのセルを利用して通信する。
【００２６】
以下、第１〜第５の実施形態の無線通信システムについて順に説明する。なお、第１〜第５の実施形態において、同一機能を有する構成には同一符号を付し、重複する説明は省略する。
【００２７】
図１は、第１〜第５の実施形態に適用されるHetNet環境の無線通信システムの一例を示す図である。図１に示すように、ヘテロジニアスネットワーク（Heterogeneous Network：HetNet）環境の無線通信システムには、セルカバレッジは大きいが伝搬損失が大きいセル（例えば、マクロセル）を提供する無線通信装置NE1と、セルカバレッジは小さいが伝搬損失が小さいセル（例えば、ピコセル又はフェムトセル等の低送信電力セル）を提供する無線通信装置NE2とが設けられている。当該無線通信システムでは、無線通信装置NE1が提供するセルはPCellとして用いられ、無線通信装置NE2が提供するセルはSCellとして用いられる。また、端末UEには、１つのコンポーネントキャリアセットを構成するPCellとSCellを使用したキャリアアグリゲーション（Carrier Aggregation）が設定される。
【００２８】
（第１の実施形態）
図２〜図８を参照して、第１の実施形態の無線通信システムについて説明する。第１の実施形態の無線通信システムは、上記説明した端末及び無線通信装置から構成される。端末は、無線通信装置から上りリソースを割り当ててもらうために、スケジューリング要求（Scheduling Request：SR）を無線通信装置に送信する。無線通信装置は、上りリソースを端末に割り当てる。また、無線通信装置は、各端末に対する無線リソース（例えば、周波数領域又は時間領域での周波数帯域）の割り当て及び管理を行い、端末のための無線アクセスネットワークのアクセスポイントの役割を有する。
【００２９】
図２〜図４は、第１の実施形態の無線通信システムにおける端末UE1と無線通信装置NE11,NE12の間の処理を含むタイミングチャートの例を示す図である。なお、端末UE1は図１に示した端末UEに等しく、無線通信装置NE11は図１に示した無線通信装置NE1に等しく、無線通信装置NE12は図１に示した無線通信装置NE2に等しい。また、端末UE1には、無線通信装置NE11が提供するPCellと無線通信装置NE12が提供するSCellを１つのコンポーネントキャリアセットとして使用するキャリアアグリゲーションが設定される。
【００３０】
図２に示すように、無線通信装置NE11は、SCell上の個別スケジューリング要求リソースを端末UE1に設定する制御情報を含む個別制御情報を端末UE1に送信する（Ｔ１０１）。なお、当該制御情報には、スケジューリング要求の最大送信回数が含まれる。なお、個別制御情報に、ランダムアクセス許容情報を含んでもよい。ランダムアクセス許容情報は、SCellにおいて端末UE1に上りリソースが割り当てられない場合に、端末UE1がSCell上で端末主導のランダムアクセス手続きの開始を許容するために使用される。このようにすることで、端末UE1が勝手にSCell上でランダムアクセス手続きを開始しないため、端末主導のランダムアクセス手続きを許容しない無線通信装置NE12とランダムアクセス手続きを許容する無線通信装置NE11が共存することができる。なお、ランダムアクセス許容情報は１ビットの情報でもよいし、他の設定情報と紐付けた情報でもよい。例えば、SCellに個別スケジューリング要求リソースの設定情報が端末UE1に設定された場合は、SCell上で端末主導のランダムアクセス手続きの開始を許容するというようにしてもよい。
【００３１】
上記処理Ｔ１０１において、個別制御情報は、RRC接続セットアップ（RRC Connection Setup）メッセージ、RRC再接続設定（RRC Connection Reconfiguration）メッセージ若しくは他のRRCメッセージ、又は、MAC層若しくは物理層のシグナリングで送信される。なお、個別制御情報は無線通信装置NE12が送信してもよい。
【００３２】
端末UE1は、上りリソースの割り当てがない場合に上りデータが生起して送信可能になれば（Ｔ１０２）、SCell上の個別スケジューリング要求リソースを用いて、無線通信装置NE12にスケジューリング要求（SR）を送信する（Ｔ１０３）。無線通信装置NE12は、受信したスケジューリング要求（SR）に応じて割り当てた上りリソースを端末UE1に通知する（Ｔ１０４）。端末UE1は、通知された上りリソースを用いて上りデータを無線通信装置NE12に送信する（Ｔ１０５）。
【００３３】
このように、端末UE1は、セルカバレッジが大きいPCellではなくSCell上の個別スケジューリング要求リソースを用いてスケジューリング要求を無線通信装置NE12に送信する。この場合、PCell上の個別スケジューリング要求リソースを用いる場合と比較して、端末UE1は、低い送信電力でスケジューリング要求を送信することができるため、スケジューリング要求送信時の消費電力を低減できる。また、PCellのセルカバレッジよりもSCellのセルカバレッジが小さく、PCellのセルカバレッジ内にある複数のSCellは、個別スケジューリング要求リソースとして同時に使用可能である。このため、PCell上の個別スケジューリング要求リソースを用いる場合と比較して、周波数リソースが有効活用され、周波数利用効率が高くなる。
【００３４】
なお、無線通信装置NE12は、処理Ｔ１０３で端末UE1から送信されたスケジューリング要求（SR）を受信した場合、端末UE1からスケジューリング要求（SR）を受信したことを無線通信装置NE11に通知してもよい。この場合、無線通信装置NE11が端末UE1に上りリソースを割り当てる。このように、無線通信装置NE11及び無線通信装置NE12のどちらも上りリソースを割り当てることができれば、トラフィック量や端末UE1の受信品質に応じて、最適な上りリソースを端末UE1に割り当てることができる。
【００３５】
図３は、端末UE1がスケジューリング要求を行っても上りリソースが割り当てられない場合に、端末UE1と無線通信装置NE12の間で行われる処理を含むタイミングチャートの一例を示す図である。図３に示すように、図２に示した処理Ｔ１０３の後、端末UE1が制御情報で設定された最大送信回数までスケジューリング要求を無線通信装置NE12に送信しても上りリソースが割り当てられない場合（Ｔ１０６）、端末UE1は、SCellのPRACH（Physical Random Access CHannel）リソースを用いたランダムアクセス手続きを開始して、無線通信装置NE12にランダムアクセスプリアンブルを送信する（Ｔ１０７）。無線通信装置NE12は、上りリソースの通知を含むランダムアクセス応答を作成し、端末UE1に送信する（Ｔ１０８）。端末UE1は、ランダムアクセス応答を受信すると、当該ランダムアクセス応答によって通知された上りリソースを用いて上りデータを無線通信装置NE12に送信する。
【００３６】
このように、スケジューリング要求に応じた上りリソースの割り当てが行われない場合であっても、端末UE1は、伝搬損失が無線通信装置NE11よりも小さい無線通信装置NE12にランダムアクセスプリアンブルを送信する。したがって、端末UE1は、ランダムアクセスプリアンブル送信時の消費電力を低減できる。
【００３７】
なお、無線通信装置NE12は、処理Ｔ１０８で端末UE1から送信されたランダムアクセスプリアンブルを受信した場合、端末UE1からランダムアクセスプリアンブルを受信したことを無線通信装置NE11に通知してもよい。この場合、無線通信装置NE11が端末UE1にランダムアクセス応答を送信する。
【００３８】
但し、無線通信装置NE11は、複数のSCellにおけるランダムアクセス応答を送信することになる。このため、端末UE1は、自分がランダムアクセスプリアンブルを送信したSCellのランダムアクセス応答を見分ける方法が必要となる。
第１の方法では、無線通信装置NE11が送信し得るランダムアクセス応答にランダムアクセスチャネルの設定を工夫することで、PCellとSCell間、及び、SCell間の衝突がないようにする。
第２の方法では、ランダムアクセス応答内にランダムアクセスプリアンブルを見分けるための識別子を含める。
第３の方法では、ランダムアクセスプリアンブルのリソースに応じた識別子RA-RNTI（Random Access Radio Network Temporary Identity）を工夫することで、端末UE1が送信したランダムプリアンブルに対するランダムアクセス応答を発見できるようにする。
【００３９】
こうすれば、端末UE1が無線通信装置NE11からランダムアクセス応答を受信して、端末UE1に上りリソースが割り当てられる。したがって、端末UE1は、伝搬損失が無線通信装置NE11よりも小さい無線通信装置NE12に対してランダムアクセスプリアンブルを送信した場合においても、セルカバレッジの大きい無線通信装置NE11の下りチャネルを用いてランダムアクセス応答を受信することができる。その結果、ランダムアクセス手続きの成功確率が高くなる。
【００４０】
図４は、図３に示す無線通信装置NE12に対するランダムアクセス手続きが失敗した場合に、端末UE1と無線通信装置NE11の間で行われる処理を含むタイミングチャートの一例を示す図である。図４に示すように、図３に示した処理Ｔ１０７の後、端末UE1がランダムアクセス応答を受信できないなどの理由からランダムアクセス手続きに失敗したと判断した場合（Ｔ１０９）、端末UE1は、PCellのPRACH（Physical Random Access CHannel）リソースを用いたランダムアクセス手続きを開始して、無線通信装置NE11にランダムアクセスプリアンブルを送信する（Ｔ１１０）。無線通信装置NE11は、上りリソースの通知を含むランダムアクセス応答を作成し、端末UE1に送信する（Ｔ１１１）。端末UE1は、ランダムアクセス応答を受信すると、当該ランダムアクセス応答によって通知された上りリソースを用いて上りデータを無線通信装置NE11に送信する。
【００４１】
このように、端末UE1は、無線通信装置NE12に対するランダムアクセス手続きが失敗しても、無線通信装置NE11にランダムアクセスプリアンブルを送信することで、上りリソースが割り当てられない事態を避けることができる。
【００４２】
以上説明したように、本実施形態の端末UE1は、SCell上の個別スケジューリング要求リソースを用いてスケジューリング要求を行っても上りリソースが割り当てられない場合に、SCellのPRACHリソースを用いてランダムアクセス手続きを行う。SCellはPCellと比較して伝搬損失が小さいため、本実施形態では、端末UE1が無線通信装置NE12に上りリソースを要求する際の送信電力を低くでき、その結果、端末UE1における消費電力を低減できる。また、PCellのセルカバレッジよりもSCellのセルカバレッジが小さく、PCellのカバレッジ内に複数のSCellが存在する場合、各SCellのアップリンク（UL）は、異なるSCell間で同時に使用可能である。このため、PCellのアップリンクのみを使用する場合と比較して、周波数リソースを有効活用できる。
【００４３】
［第１の実施形態の端末UE1の構成］
図５は、第１の実施形態の無線通信システムを構成する端末UE1のブロック図である。図５に示すように、第１の実施形態の端末UE1は、受信部１０１と、制御部１０３と、送信部１０５とを備える。制御部１０３は、ＤＳＲ管理部１１１と、ＲＡＣＨ管理部１１３とを有する。ＤＳＲ管理部１１１は、SCellDSR管理部１２１を有する。ＲＡＣＨ管理部１１３は、PCellRACH管理部１３１と、SCellRACH管理部１３３とを有する。
【００４４】
受信部１０１は、制御部１０３からの指示に応じて、端末UE1が接続しているセルのダウンリンクを介して、報知情報又は個別制御情報等の制御情報を受信する。受信部１０１は、受信した制御情報を制御部１０３へ出力する。また、受信部１０１は、ランダムアクセス応答を受信する。受信部１０１は、受信したランダムアクセス応答を制御部１０３のＲＡＣＨ管理部１１３へ出力する。さらに、受信部１０１は、衝突解決（Contention Resolution）のメッセージを受信する。受信部１０１は、受信した衝突解決のメッセージを制御部１０３に出力する。なお、受信部１０１が受信するランダムアクセス応答は、無線通信装置NE11から送信されたものであっても、無線通信装置NE12から送信されたものであってもよい。
【００４５】
制御部１０３は、受信部１０１に報知情報又は個別制御情報等の制御情報の受信を指示する。制御部１０３には、受信部１０１が受信した制御情報が入力される。制御部１０３に入力された制御情報に含まれるランダムアクセスチャネル設定（RACH config）に関する情報は、制御部１０３のＲＡＣＨ管理部１１３に入力される。また、制御部１０３に入力された制御情報に含まれる個別スケジューリング要求リソースの設定情報は、制御部１０３のＤＳＲ管理部１１１に入力される。制御部１０３は、端末UE1の状態及び制御情報に基づいて、個別スケジューリング要求リソースの解放（release）をＤＳＲ管理部１１１に指示する。
【００４６】
制御部１０３は、端末UE1に上りリソースが割り当てられていない場合に端末UE1で上りデータが生起して送信可能になると、スケジューリング要求（SR）の送信をＤＳＲ管理部１１１に指示する。なお、制御部１０３は、スケジューリング要求の送信をＤＳＲ管理部１１１に指示した後、端末UE1に上りリソースが割り当てられると、上りリソースが割り当てられたことをＤＳＲ管理部１１１に通知する。また、制御部１０３は、ＤＳＲ管理部１１１からスケジューリング要求を送信できないことが通知されると、ＲＡＣＨ管理部１１３にランダムアクセス手続きの開始を指示する。
【００４７】
制御部１０３は、ＲＡＣＨ管理部１１３から得られたランダムアクセス応答に含まれる、上りデータを送信するために必要な情報が入力されると、送信したい上りデータを、指示された上りリソースを用いて送信するように、送信部１０５へ指示する。また、制御部１０３は、ＲＡＣＨ管理部１１３から得られたランダムアクセス応答に含まれる当該上りデータを送信するために必要な情報と、衝突解決（Contention Resolution）が必要であることを示す情報とが入力されると、それらの情報を基にメッセージ（message 3）を作成して、当該メッセージを送信部１０５へ出力する。
【００４８】
制御部１０３は、受信部１０１が衝突解決のメッセージを受信した場合、受信部１０１から入力された当該メッセージをＲＡＣＨ管理部１１３に出力する。一方、制御部１０３は、受信部１０１が衝突解決のメッセージを受信しない場合、ＲＡＣＨ管理部１１３にランダムアクセスプリアンブルの再送を指示する。制御部１０３は、ＲＡＣＨ管理部１１３からランダムアクセス手続きが失敗したことを通知されると、再接続（Re-establishment）の手続きを開始する。
【００４９】
以下、制御部１０３が有する各構成要素について、ＤＳＲ管理部１１１、ＲＡＣＨ管理部１１３の順に説明する。
【００５０】
制御部１０３が有するＤＳＲ管理部１１１は、制御部１０３から入力された個別スケジューリング要求リソースの設定情報を管理する。なお、個別スケジューリング要求リソースの設定情報は、個別スケジューリング要求リソース（sr-PUUCCH-ResourceIndex, sr-ConfigIndex, sr-PUCCH-ResourceIndexP1-r10）、及び、個別スケジューリング要求リソースを用いたスケジューリング要求（SR）の最大送信可能回数（dsr-Trans）などを含む。また、ＤＳＲ管理部１１１は、制御部１０３から指示された個別スケジューリング要求リソースに関する現在の設定の解放（release）を行う。
【００５１】
ＤＳＲ管理部１１１は、制御部１０３からスケジューリング要求を送信するように指示されると、ＤＳＲ管理部１１１のSCellDSR管理部１２１にスケジューリング要求を送信するように指示する。この場合、制御部１０３から入力された個別スケジューリング要求リソースがSCell上の個別スケジューリング要求リソースの場合、ＤＳＲ管理部１１１は、SCellに関する個別スケジューリング要求リソースの設定情報をSCellDSR管理部１２１に出力する。ＤＳＲ管理部１１１は、SCellDSR管理部１２１にスケジューリング要求の送信を指示した後、端末UE1に上りリソースが割り当てられたことが制御部１０３から通知されると、SCellDSR管理部１２１に上りリソースが割り当てられたことを通知する。
【００５２】
ＤＳＲ管理部１１１は、個別スケジューリング要求リソースが設定されていないことをSCellDSR管理部１２１から通知され、端末UE1がスケジューリング要求を送信できない状態であると判断すると、制御部１０３にスケジューリング要求を送信できないと通知する。また、ＤＳＲ管理部１１１は、SCellDSR管理部１２１からスケジューリング要求の送信に失敗したことを通知され、端末UE1がスケジューリング要求を送信できない状態であると判断すると、制御部１０３にスケジューリング要求を送信できないと通知する。
【００５３】
ＤＳＲ管理部１１１は、制御部１０３から、SCellに関する個別スケジューリング要求リソースの現在の設定の解放（release）を指示されると、SCellDSR管理部１２１に個別スケジューリング要求リソースの設定の解放（release）を指示する。
【００５４】
ＤＳＲ管理部１１１が有するSCellDSR管理部１２１は、ＤＳＲ管理部１１１からスケジューリング要求を送信するように指示されると、スケジューリング要求を生成する。さらに、SCellDSR管理部１２１は、個別スケジューリング要求リソースの設定情報に基づくタイミングでスケジューリング要求を送信するよう送信部１０５に指示する。但し、SCellDSR管理部１２１は、個別スケジューリング要求リソースが設定されていない場合、個別スケジューリング要求リソースが設定されていないことをＤＳＲ管理部１１１に通知する。
【００５５】
SCellDSR管理部１２１は、端末UE1に上りリソースが割り当てられたことがＤＳＲ管理部１１１から通知されると、スケジューリング要求の送信指示を停止する。一方、スケジューリング要求の送信回数が最大送信可能回数（dsr-Trans）に達しても上りリソースの割り当てが通知されない場合、SCellDSR管理部１２１は、スケジューリング要求が失敗したことをＤＳＲ管理部１１１に通知する。この場合、SCellDSR管理部１２１は、設定されていた個別スケジューリング要求リソースを解放（release）する。
【００５６】
制御部１０３が有するＲＡＣＨ管理部１１３は、制御部１０３から入力されたランダムアクセスチャネル設定（RACH Config）のうち、SCell用のランダムアクセスチャネル設定をSCellRACH管理部１３３に出力し、PCell用のランダムアクセスチャネル設定をPCellRACH管理部１３１に出力する。ＲＡＣＨ管理部１１３は、制御部１０３からランダムアクセス手続きを開始するよう指示されると、PCellRACH管理部１３１及びSCellRACH管理部１３３のどちらにランダムアクセス手続きを開始するよう指示するかを判断する。ＲＡＣＨ管理部１１３は、SCellRACH管理部１３３にSCell用のランダムアクセスチャネル設定を設定した場合、SCellでランダムアクセス手続きを開始すると判断する。
【００５７】
なお、ＲＡＣＨ管理部１１３は、SCellにおいて端末主導のランダムアクセス手続きを許容するという個別制御情報が入力されている場合に限り、SCellでランダムアクセス手続きを開始すると判断してもよい。この場合、端末UE1が勝手にSCellでランダムアクセス手続きを行うことを防ぐことができる。
【００５８】
ＲＡＣＨ管理部１１３は、SCellでランダムアクセス手続きを開始すると判断すると、SCellRACH管理部１３３にランダムアクセス手続きを開始するよう指示する。ＲＡＣＨ管理部１１３は、SCellRACH管理部１３３にランダムアクセス手続きを開始するよう指示した後に、受信部１０１からランダムアクセス応答が入力されると、SCellRACH管理部１３３にこのランダムアクセス応答を出力する。
【００５９】
ＲＡＣＨ管理部１１３は、SCellRACH管理部１３３から、ランダムアクセス応答に含まれる上りデータを送信するために必要な情報及びランダムアクセス手続きの成功が通知されると、上りデータを送信するために必要な情報及びランダムアクセス手続きの成功を制御部１０３に出力する。
【００６０】
ＲＡＣＨ管理部１１３は、SCellRACH管理部１３３から、ランダムアクセス応答に含まれる上りデータを送信するために必要な情報及び衝突解決が必要であることを示す情報が通知されると、上りデータを送信するために必要な情報及び衝突解決が必要であることを示す情報を制御部１０３に出力する。また、この状態において、ＲＡＣＨ管理部１１３は、制御部１０３からランダムアクセスプリアンブルの再送が指示されると、ランダムアクセスプリアンブルの再送をSCellRACH管理部１３３に指示する。同様に、この状態において、ＲＡＣＨ管理部１１３は、受信部１０１が衝突解決のメッセージを受信したことが制御部１０３から通知されると、受信部１０１が衝突解決のメッセージを受信したことをSCellRACH管理部１３３に出力する。
【００６１】
ＲＡＣＨ管理部１１３は、SCellRACH管理部１３３から、ランダムアクセス手続きの失敗が通知されると、PCellRACH管理部１３１にランダムアクセス手続きを開始するよう通知する。また、ＲＡＣＨ管理部１１３は、SCellにおいて端末主導のランダムアクセス手続きを開始できないと判断すると、PCellRACH管理部１３１にランダムアクセス手続きを開始するよう通知する。ＲＡＣＨ管理部１１３は、PCellRACH管理部１３１にランダムアクセス手続きを開始するよう指示した後に、受信部１０１からランダムアクセス応答が入力されると、PCellRACH管理部１３１にこのランダムアクセス応答を出力する。
【００６２】
ＲＡＣＨ管理部１１３は、PCellRACH管理部１３１から、ランダムアクセス応答に含まれる上りデータを送信するために必要な情報及びランダムアクセス手続きの成功が通知されると、上りデータを送信するために必要な情報及びランダムアクセス手続きの成功を制御部１０３に出力する。
【００６３】
ＲＡＣＨ管理部１１３は、PCellRACH管理部１３１から、ランダムアクセス応答に含まれる上りデータを送信するために必要な情報及び衝突解決が必要であることを示す情報が入力されると、上りデータを送信するために必要な情報及び衝突解決が必要であることを示す情報を制御部１０３に出力する。また、この状態において、ＲＡＣＨ管理部１１３は、制御部１０３からランダムアクセスプリアンブルの再送が指示されると、ランダムアクセスプリアンブルの再送をPCellRACH管理部１３１に指示する。同様に、この状態において、ＲＡＣＨ管理部１１３は、受信部１０１が衝突解決のメッセージを受信したことが制御部１０３から通知されると、受信部１０１が衝突解決のメッセージを受信したことをPCellRACH管理部１３１に出力する。
【００６４】
ＲＡＣＨ管理部１１３が有するSCellRACH管理部１３３は、ＲＡＣＨ管理部１１３から入力されたSCell用のランダムアクセスチャネル設定を管理する。
【００６５】
SCellRACH管理部１３３は、ＲＡＣＨ管理部１１３からの指示に応じてランダムアクセス手続きを開始する。このとき、SCellRACH管理部１３３は、ランダムアクセスプリアンブルを生成して送信部１０５に出力する。また、SCellRACH管理部１３３は、ランダムアクセスプリアンブルの送信後、ＲＡＣＨ管理部１１３からランダムアクセス応答が入力されない場合、再送のためにランダムアクセスプリアンブルを生成して送信部１０５に出力する。
【００６６】
SCellRACH管理部１３３は、ＲＡＣＨ管理部１１３からランダムアクセス応答が入力されると、必要に応じて衝突解決（Contention Resolution）の動作を行う。SCellRACH管理部１３３は、衝突解決が必要ではないと判断した場合、ランダムアクセス応答に含まれる上りデータを送信するために必要な情報及びランダムアクセス手続きの成功をＲＡＣＨ管理部１１３に通知して、ランダムアクセス手続きを終了する。一方、SCellRACH管理部１３３は、衝突解決が必要であると判断した場合、ランダムアクセス応答に含まれる上りデータを送信するために必要な情報及び衝突解決が必要であることを示す情報をＲＡＣＨ管理部１１３に通知する。
【００６７】
SCellRACH管理部１３３は、ＲＡＣＨ管理部１１３からランダムアクセスプリアンブルの再送が指示されると、再送のためのランダムアクセスプリアンブルを生成して送信部１０５に出力する。SCellRACH管理部１３３は、受信部１０１が衝突解決のメッセージを受信したことがＲＡＣＨ管理部１１３から通知されると、ランダムアクセス手続きを終了する。SCellRACH管理部１３３は、ランダムアクセスプリアンブルの送信回数が最大送信回数（preambleTransMax）に到達した後、ＲＡＣＨ管理部１１３からランダムアクセス応答が入力されなければ、ランダムアクセス手続きが失敗したことをＲＡＣＨ管理部１１３に通知して、ランダムアクセス手続きを終了する。
【００６８】
ＲＡＣＨ管理部１１３が有するPCellRACH管理部１３１は、ＲＡＣＨ管理部１１３から入力されたPCell用のランダムアクセスチャネル設定を管理する。
【００６９】
PCellRACH管理部１３１は、ＲＡＣＨ管理部１１３からの指示に応じてランダムアクセス手続きを開始する。このとき、PCellRACH管理部１３１は、ランダムアクセスプリアンブルを生成して送信部１０５に出力する。また、PCellRACH管理部１３１は、ランダムアクセスプリアンブルの送信後、ＲＡＣＨ管理部１１３からランダムアクセス応答が入力されない場合、再送のためにランダムアクセスプリアンブルを生成して送信部１０５に出力する。
【００７０】
PCellRACH管理部１３１は、ＲＡＣＨ管理部１１３からランダムアクセス応答が入力されると、必要に応じて衝突解決（Contention Resolution）の動作を行う。PCellRACH管理部１３１は、衝突解決が必要ではないと判断した場合、ランダムアクセス応答に含まれる上りデータを送信するために必要な情報及びランダムアクセス手続きの成功をＲＡＣＨ管理部１１３に通知して、ランダムアクセス手続きを終了する。一方、PCellRACH管理部１３１は、衝突解決が必要であると判断した場合、ランダムアクセス応答に含まれる上りデータを送信するために必要な情報及び衝突解決が必要であることを示す情報をＲＡＣＨ管理部１１３に通知する。
【００７１】
PCellRACH管理部１３１は、ＲＡＣＨ管理部１１３からランダムアクセスプリアンブルの再送が指示されると、再送のためのランダムアクセスプリアンブルを生成して送信部１０５に出力する。PCellRACH管理部１３１は、受信部１０１が衝突解決のメッセージを受信したことがＲＡＣＨ管理部１１３から通知されると、ランダムアクセス手続きを終了する。PCellRACH管理部１３１は、ランダムアクセスプリアンブルの送信回数が最大送信回数（preambleTransMax）に到達した後、ＲＡＣＨ管理部１１３からランダムアクセス応答が入力されなければ、ランダムアクセス手続きが失敗したことをＲＡＣＨ管理部１１３に通知して、ランダムアクセス手続きを終了する。
【００７２】
送信部１０５は、ランダムアクセスプリアンブル、スケジューリング要求（SR）、制御信号に対する応答、又は上りデータなどを無線通信装置NE11,NE12に送信する。
【００７３】
なお、個別スケジューリング要求リソースがPCellに設定される場合、端末UE1は、PCell上の個別スケジューリングリソースを用いてスケジューリング要求を行う。この場合、端末UE1は、個別スケジューリング要求リソースを用いたスケジューリング要求の送信回数が最大送信回数に到達しても上りリソースが割り当てられなければ、PCellにおいてランダムアクセス手続きを開始する。
【００７４】
なお、個別制御情報は、スケジューリング要求のためにSCellを用いたランダムアクセス手続きの可否を示す１ビットの情報を含んでいても良い。この１ビットの情報は、SCellにおいて端末主導のランダムアクセス手続きを許容するか否かを示す情報でもよい。この場合、端末UE1のＲＡＣＨ管理部１１３は、この１ビットの情報を基に、SCellRACH管理部１３３にランダムアクセス手続きの開始を通知するか、PCellRACH管理部１３１にランダムアクセス手続きの開始を通知するかを判断する。
【００７５】
［第１の実施の形態の無線通信装置NE11の構成］
図６は、第１の実施形態の無線通信システムを構成する無線通信装置NE11のブロック図である。図６に示すように、第１の実施形態の無線通信装置NE11は、無線受信部１５１と、ネットワーク受信部１５３と、制御部１５５と、無線送信部１５７と、ネットワーク送信部１５９とを備える。
【００７６】
無線受信部１５１は、端末UE1から送信されたランダムアクセスプリアンブル、スケジューリング要求（SR）、制御信号に対する応答、又は上りデータなどを受信して、制御部１５５へ出力する。ネットワーク受信部１５３は、無線通信装置NE12から制御情報に関するメッセージが入力されると、制御部１５５に出力する。
【００７７】
制御部１５５は、端末UE1に個別スケジューリング要求リソースを割り当てるか否かを判断する。制御部１５５は、個別スケジューリング要求リソースを割り当てると判断すると、当該リソースをSCellに設定するかPCellに設定するかを判断する。制御部１５５は、個別スケジューリング要求リソースをSCellに割り当てると判断すると、SCell上の個別スケジューリング要求リソースの設定情報を作成する。制御部１５５は、SCellを管理する無線通信装置NE12にSCell上の個別スケジューリング要求リソースの設定情報を送信するよう、ネットワーク送信部１５９に出力する。
【００７８】
また、制御部１５５は、ランダムアクセス手続きをSCellにおいて許容するか否かを判断し、SCellにおいて許容すると判断すると、SCell用のランダムアクセスチャネル設定を作成する。制御部１５５は、必要があれば、SCellを管理する無線通信装置NE12で確認してもらうために、SCell用のランダムアクセスチャネル設定を無線通信装置NE12に送信するようネットワーク送信部１５９に出力してもよい。ネットワーク送信部１５９に出力しない場合、制御部１５５は、SCell用のランダムアクセスチャネル設定を無線送信部１５７に出力する。
【００７９】
なお、ランダムアクセスチャネル設定に、スケジューリング要求のために使用しても良いか否かを指示する１ビットの情報を付加してもよい。これは、SCellでのスケジューリング要求のためのランダムアクセス手続きを許容しない場合であっても、SCellのランダムアクセスチャネル設定を通知する場合があるためである。この１ビットの情報は、端末主導のランダムアクセス手続きを許容するか否かを示す情報でもよい。
【００８０】
制御部１５５には、無線通信装置NE12から得られた制御情報に関するメッセージがネットワーク受信部１５３から入力される。制御部１５５は、無線通信装置NE12から、SCell上の個別スケジューリング要求リソースの設定に関する確認応答によって了承される（accept）と、SCell上の個別スケジューリング要求リソースの設定情報を無線送信部１５７に出力する。また、制御部１５５は、無線通信装置NE12から、SCell上の個別スケジューリング要求リソースの更新した設定情報を受信すると、当該受信した設定情報を無線送信部１５７に出力する。また、制御部１５５は、無線通信装置NE12から、SCellに個別スケジューリング要求リソースを設定できないことが通知されると、PCellに個別スケジューリング要求リソースを設定するか否かを判断する。
【００８１】
また、制御部１５５は、ネットワーク受信部１５３から入力されたSCell用のランダムアクセスチャネル設定の確認応答によって了承される(accept)と、SCell用のランダムアクセスチャネル設定を無線送信部１５７へ出力する。また、制御部１５５は、ネットワーク受信部１５３から入力された更新したランダムアクセスチャネル設定を無線送信部１５７に出力する。また、制御部１５５は、ネットワーク送信部１５９からSCellのランダムアクセス手続きを了承できないことが通知されると、SCellのランダムアクセス手続きを端末UE1に送信しないよう制御する。
【００８２】
制御部１５５は、個別スケジューリング要求リソースをPCellに割り当てると判断すると、PCell上の個別スケジューリング要求リソースの設定情報を作成して無線送信部１５７に出力する。また、制御部１５５は、PCell用のランダムアクセス手続きの設定情報を作成して無線送信部１５７に出力する。
【００８３】
制御部１５５は、無線受信部１５１が受信した端末UE1からのスケジューリング要求が入力されると、端末UE1に上りリソースを割り当てる。制御部１５５は、無線受信部１５１が受信した端末UE1からのランダムアクセスプリアンブルが入力されると、ランダムアクセス応答を生成して無線送信部１５７に出力する。制御部１５５は、ネットワーク受信部１５３からランダムアクセス応答が入力されると、無線送信部１５７に出力する。
【００８４】
無線送信部１５７は、制御部１５５から入力されたデータ、報知情報、個別制御情報、又はランダムアクセス応答などを端末UE1に送信する。ネットワーク送信部１５９は、制御部１５５から入力された制御情報を無線通信装置NE12に送信する。
【００８５】
［第１の実施形態の無線通信装置NE12の構成］
図７は、第１の実施形態の無線通信システムを構成する無線通信装置NE12のブロック図である。図７に示すように、第１の実施形態の無線通信装置NE12は、無線受信部１６１と、ネットワーク受信部１６３と、制御部１６５と、無線送信部１６７と、ネットワーク送信部１６９とを備える。
【００８６】
無線受信部１６１は、端末UE1から送信されたランダムアクセスプリアンブル、スケジューリング要求（SR）、制御信号に対する応答、又は上りデータなどを受信して、制御部１６５へ出力する。ネットワーク受信部１６３は、無線通信装置NE11から制御情報に関するメッセージが入力されると、制御部１６５に出力する。
【００８７】
制御部１６５は、ネットワーク受信部１６３から端末UE1に対する個別スケジューリング要求リソースの設定情報を受信すると、当該個別スケジューリング要求リソースの設定情報を了承するか否かを判断する。制御部１６５は、当該個別スケジューリング要求リソースの設定情報を了承すると判断すると、その旨をネットワーク送信部１６９に出力する。制御部１６５は、当該個別スケジューリング要求リソースの設定情報とは異なる個別スケジューリング要求リソースを割り当てると判断すると、個別スケジューリング要求リソースの設定情報を更新し、更新した個別スケジューリング要求リソースの設定情報をネットワーク送信部１６９に出力する。制御部１６５は、端末UE1に個別スケジューリング要求リソースを設定しないと判断すると、その旨をネットワーク送信部１６９に出力する。
【００８８】
制御部１６５は、ネットワーク受信部１６３から端末UE1に対するSCell用のランダムアクセスチャネル設定を受信すると、当該ランダムアクセスチャネル設定を了承するか否かを判断する。制御部１６５は、当該ランダムアクセスチャネル設定を了承すると判断すると、その旨をネットワーク送信部１６９に出力する。制御部１６５は、当該ランダムアクセスチャネル設定とは異なるランダムアクセスチャネル設定を通知すると判断すると、ランダムアクセスチャネル設定を更新し、更新したランダムアクセスチャネル設定をネットワーク送信部１６９に出力する。制御部１６５は、端末UE1との間のスケジューリング要求のためのSCellでのランダムアクセス手続きを了承しないと判断すると、その旨をネットワーク送信部１６９に出力する。
【００８９】
制御部１６５は、無線受信部１６１が受信した端末UE1からのスケジューリング要求が入力されると、端末UE1に上りリソースを割り当てて無線送信部１６７に出力する。なお、制御部１６５は、無線受信部１６１からスケジューリング要求が入力されると、無線通信装置NE11に通知するためにネットワーク送信部１６９に出力してもよい。
【００９０】
制御部１６５は、無線受信部１６１が受信した端末UE1からのランダムアクセスプリアンブルが入力されると、ランダムアクセス応答を生成して無線送信部１６７に出力する。なお、制御部１６５は、無線受信部１６１から端末UE1からのランダムアクセスプリアンブルが入力されると、ランダムアクセス応答を生成して無線通信装置NE11に出力してもよい。
【００９１】
無線送信部１６７は、制御部１６５から入力されたデータ、報知情報、個別制御情報、又はランダムアクセス応答などを端末UE1に送信する。ネットワーク送信部１６９は、制御部１６５から入力された制御情報を無線通信装置NE11に送信する。
【００９２】
（第１の実施形態における端末UE1の動作）
以下、図８を参照して、端末UE1に上りリソースが割り当てられていない状態で端末UE1に上りデータが生起して送信可能になった場合の端末UE1の動作について説明する。図８は、第１の実施形態の無線通信システムにおいて、端末UE1に上りリソースが割り当てられていない状態で端末UE1に上りデータが生起して送信可能になった場合の端末UE1の動作を示すフローチャートである。
【００９３】
図８に示すように、端末UE1には、SCellにおける個別スケジューリング要求リソース（D-SR）が設定される（ステップＳ１０１）。次に、端末UE1は、上りリソースが割り当てられていない状態で上りデータが生起して送信可能になる（ステップＳ１０２）と、ステップＳ１０３に遷移する。
【００９４】
ステップＳ１０３では、端末UE1は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ１０４に遷移し、個別スケジューリング要求リソースを用いたスケジューリング要求の送信回数が最大送信回数を超えている場合（Ｎｏの場合）はステップＳ１０６に遷移する。
【００９５】
ステップＳ１０４では、端末UE1は、SCell上の個別スケジューリング要求リソースを用いて無線通信装置NE12にスケジューリング要求を送信する。次に、端末UE1は、上りリソースの割り当てを受信したか否かを判断し（ステップＳ１０５）、上りリソースが割り当てられた場合は一連の処理を終了し、上りリソースが割り当てられない場合はステップＳ１０３に戻る。
【００９６】
ステップＳ１０６では、端末UE1は、SCellに端末主導でランダムアクセス手続きを開始することが許容されており、かつ、SCellにPRACHリソースが設定されているか否かを判断する。端末UE1は、SCellに端末主導でランダムアクセス手続きを開始するためのPRACHリソースが設定されていると判断した場合はステップＳ１０７に遷移し、SCellに端末主導でランダムアクセス手続きを開始するためのPRACHリソースが設定されていないと判断した場合はステップＳ１０９に遷移する。
【００９７】
ステップＳ１０７では、端末UE1は、SCellでのランダムアクセス手続きを開始する。次に、端末UE1は、SCellでのランダムアクセス手続きが成功したか否かを判断し（ステップＳ１０８）、SCellでのランダムアクセス手続きが成功したと判断した場合は一連の処理を終了し、SCellでのランダムアクセス手続きが失敗したと判断した場合はステップＳ１０９に遷移する。
【００９８】
ステップＳ１０９では、端末UE1は、PCellでのランダムアクセス手続きを開始する。なお、端末UE1は、PCellでのランダムアクセス手続きが失敗した場合、再接続手続きを開始する。
【００９９】
以上説明したように、本実施形態によれば、端末UE1は、伝搬損失が無線通信装置NE11よりも小さい無線通信装置NE12にスケジューリング要求を送信するため、スケジューリング要求送信時の端末UE1の消費電力を低減できる。また、端末UE1は、スケジューリング要求を行っても上りリソースが割り当てられない場合、無線通信装置NE12にランダムアクセスプリアンブルを送信するため、ランダムアクセスプリアンブル送信時の消費電力を低減できる。
【０１００】
（第２の実施形態）
図９〜図１２を参照して、第２の実施形態の無線通信システムについて説明する。第２の実施形態の無線通信システムが第１の実施形態の無線通信システムと異なる点は、端末がSCellでのスケジューリング要求を行っても上りリソースが割り当てられない場合に、当該端末は、SCellでのランダムアクセス手続きは行わず、PCellでのランダムアクセス手続きを開始する点である。この点以外は第１の実施形態と同様である。
【０１０１】
図９及び図１０は、第２の実施形態の無線通信システムにおける端末UE2と無線通信装置NE21,NE22の間の処理を含むタイミングチャートの例を示す図である。なお、図９及び図１０では、第１の実施形態で図２及び図３に示した処理又はデータと同じ処理又はデータには同じ符号が付されている。また、端末UE2は図１に示した端末UEに等しく、無線通信装置NE21は図１に示した無線通信装置NE1及び第１の実施形態の無線通信装置NE11に等しく、無線通信装置NE22は図１に示した無線通信装置NE2及び第１の実施形態の無線通信装置NE12に等しい。また、端末UE2には、無線通信装置NE21が提供するPCellと無線通信装置NE22が提供するSCellを１つのコンポーネントキャリアセットとして使用するキャリアアグリゲーションが設定される。
【０１０２】
図９に示したタイミングチャートは図２に示したタイミングチャートと同じであるため、説明を省略する。図１０は、端末UE2がスケジューリング要求を行っても上りリソースが割り当てられない場合に、端末UE2と無線通信装置NE21の間で行われる処理を含むタイミングチャートの一例を示す図である。図１０に示すように、図９に示した処理Ｔ１０３の後、端末UE2が制御情報で設定された最大送信回数までスケジューリング要求を無線通信装置NE22に送信しても上りリソースが割り当てられない場合（Ｔ１０６）、端末UE2は、PCellのPRACH（Physical Random Access CHannel）リソースを用いたランダムアクセス手続きを開始して、無線通信装置NE21にランダムアクセスプリアンブルを送信する（Ｔ２０７）。無線通信装置NE21は、上りリソースの通知を含むランダムアクセス応答を作成し、端末UE2に送信する（Ｔ２０８）。端末UE2は、ランダムアクセス応答を受信すると、当該ランダムアクセス応答によって通知された上りリソースを用いて上りデータを無線通信装置NE21に送信する。
【０１０３】
［第２の実施形態の端末UE2の構成］
図１１は、第２の実施形態の無線通信システムを構成する端末UE2のブロック図である。図１１に示すように、第２の実施形態の端末UE2は、受信部１０１と、制御部２０３と、送信部１０５とを備える。制御部２０３は、ＤＳＲ管理部１１１と、ＲＡＣＨ管理部２１３とを有する。ＤＳＲ管理部１１１は、第１の実施形態の端末UE1と同様に、SCellDSR管理部１２１を有する。ＲＡＣＨ管理部２１３は、PCellRACH管理部１３１を有する。本実施形態の端末UE2が第１の実施形態の端末UE1と異なる点は、制御部２０３のＲＡＣＨ管理部２１３がSCellRACH管理部１３３を含まないことである。したがって、以下、本実施形態のＲＡＣＨ管理部２１３についてのみ説明する。
【０１０４】
ＲＡＣＨ管理部２１３は、制御部２０３から入力されたランダムアクセスチャネル設定（RACH Config）のうち、PCell用のランダムアクセスチャネル設定をPCellRACH管理部１３１に出力する。ＲＡＣＨ管理部２１３は、制御部２０３からランダムアクセス手続きを開始するように指示されると、PCellRACH管理部１３１にランダムアクセス手続きを開始するよう通知する。ＲＡＣＨ管理部２１３は、PCellRACH管理部１３１にランダムアクセス手続きを開始するよう指示した後に、受信部１０１からランダムアクセス応答が入力されると、PCellRACH管理部１３１にこのランダムアクセス応答を出力する。
【０１０５】
ＲＡＣＨ管理部２１３は、PCellRACH管理部１３１から、ランダムアクセス応答に含まれる上りデータを送信するために必要な情報及びランダムアクセス手続きの成功が通知されると、上りデータを送信するために必要な情報及びランダムアクセス手続きの成功を制御部２０３に出力する。
【０１０６】
ＲＡＣＨ管理部２１３は、PCellRACH管理部１３１から、ランダムアクセス応答に含まれる上りデータを送信するために必要な情報及び衝突解決が必要であることを示す情報が通知されると、上りデータを送信するために必要な情報及び衝突解決が必要であることを示す情報を制御部２０３に出力する。また、この状態において、ＲＡＣＨ管理部２１３は、制御部２０３からランダムアクセスプリアンブルの再送が指示されると、ランダムアクセスプリアンブルの再送をPCellRACH管理部１３１に指示する。同様に、この状態において、ＲＡＣＨ管理部２１３は、受信部１０１が衝突解決のメッセージを受信したことが制御部２０３から通知されると、受信部１０１が衝突解決のメッセージを受信したことをPCellRACH管理部１３１に出力する。
【０１０７】
なお、個別スケジューリング要求リソースがPCellに設定される場合、端末UE2は、PCell上の個別スケジューリングリソースを用いてスケジューリング要求を行う。この場合、端末UE2は、個別スケジューリング要求リソースを用いたスケジューリング要求の送信回数が最大送信回数に到達しても上りリソースが割り当てられなければ、PCellにおいてランダムアクセス手続きを開始する。
【０１０８】
（第２の実施形態における端末UE2の動作）
以下、図１２を参照して、端末UE2に上りリソースが割り当てられていない状態で端末UE2に上りデータが生起して送信可能になった場合の端末UE2の動作について説明する。図１２は、第２の実施形態の無線通信システムにおいて、端末UE2に上りリソースが割り当てられていない状態で端末UE2に上りデータが生起して送信可能になった場合の端末UE2の動作を示すフローチャートである。なお、図１２では、第１の実施形態で図８に示したフローチャートのステップと同様のステップに同じ符号が付されている。
【０１０９】
図１２に示すように、端末UE2には、SCellにおける個別スケジューリング要求リソース（D-SR）が設定される（ステップＳ１０１）。次に、端末UE2は、上りリソースが割り当てられていない状態で上りデータが生起して送信可能になる（ステップＳ１０２）と、ステップＳ１０３に遷移する。
【０１１０】
ステップＳ１０３では、端末UE2は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ１０４に遷移し、個別スケジューリング要求リソースを用いたスケジューリング要求の送信回数が最大送信回数を超えている場合（Ｎｏの場合）はステップＳ２０６に遷移する。
【０１１１】
ステップＳ１０４では、端末UE2は、SCell上の個別スケジューリング要求リソースを用いてスケジューリング要求を送信する。次に、端末UE2は、上りリソースの割り当てを受信したか否かを判断し（ステップＳ１０５）、上りリソースが割り当てられた場合は一連の処理を終了し、上りリソースが割り当てられない場合はステップＳ１０３に戻る。
【０１１２】
ステップＳ２０６では、端末UE2は、PCellでのランダムアクセス手続きを開始する。なお、端末UE2は、PCellでのランダムアクセス手続きが失敗した場合、再接続手続きを開始する。
【０１１３】
以上説明したように、本実施形態によれば、端末UE2は、SCell上の個別スケジューリング要求リソースを用いてスケジューリング要求を送信するため、端末UE2のスケジューリング要求送信時における消費電力を低減できる。また、端末UE2は、SCellでスケジューリング要求を行っても上りリソースが割り当てられなかった場合、SCellよりもセルカバレッジが大きいPCellにおいてランダムアクセス手続きを行う。したがって、SCellでランダムアクセス手続きを行う第１の実施形態よりも、ランダムアクセス手続きの成功確率が高くなる。その結果、ランダムアクセス手続きの失敗に伴う消費電力及び遅延時間の増加を防ぐことができる。また、既存の手法であるPCellに閉じたランダムアクセス手続きを行うため、端末及び基地局を容易に作成できる。
【０１１４】
（第３の実施形態）
図１３〜図１７を参照して、第３の実施形態の無線通信システムについて説明する。第３の実施形態の無線通信システムが第１の実施形態の無線通信システムと異なる点は、端末が、生起した上りデータの優先度に応じて、ランダムアクセスプリアンブルを送信する先の無線通信装置を切り替える点である。この点以外は第１の実施形態と同様である。
【０１１５】
図１３及び図１４は、第３の実施形態の無線通信システムにおける端末UE3と無線通信装置NE31,NE32の間の処理を含むタイミングチャートの例を示す図である。なお、図１３及び図１４では、第１の実施形態で図２及び図３に示した処理又はデータと同じ処理又はデータには同じ符号が付されている。また、端末UE3は図１に示した端末UEに等しく、無線通信装置NE31は図１に示した無線通信装置NE1及び第１の実施形態の無線通信装置NE11に等しく、無線通信装置NE32は図１に示した無線通信装置NE2及び第１の実施形態の無線通信装置NE12に等しい。また、端末UE3には、無線通信装置NE31が提供するPCellと無線通信装置NE32が提供するSCellを１つのコンポーネントキャリアセットとして使用するキャリアアグリゲーションが設定される。
【０１１６】
図１３に示したタイミングチャートは図２に示したタイミングチャートと同じであるため、説明を省略する。図１４は、端末UE3がスケジューリング要求を行っても上りリソースが割り当てられない場合に、端末UE3と無線通信装置NE31又は無線通信装置NE32の間で行われる処理を含むタイミングチャートの一例を示す図である。図１４に示すように、図１３に示した処理Ｔ１０３の後、端末UE3が制御情報で設定された最大送信回数までスケジューリング要求を無線通信装置NE32に送信しても上りリソースが割り当てられない場合（Ｔ１０６）、端末UE3は上りデータの優先度を判断する（Ｔ３０７）。
【０１１７】
端末UE3が上りデータは高優先度であると判断した場合（Ｔ３０８）、PCellのPRACH（Physical Random Access CHannel）リソースを用いたランダムアクセス手続きを開始して、無線通信装置NE31にランダムアクセスプリアンブルを送信する（Ｔ３０９）。無線通信装置NE31は、上りリソースの通知を含むランダムアクセス応答を作成し、端末UE3に送信する（Ｔ３１０）。端末UE3は、ランダムアクセス応答を受信すると、当該ランダムアクセス応答によって通知された上りリソースを用いて上りデータを無線通信装置NE31に送信する。
【０１１８】
一方、端末UE3が上りデータは低優先度であると判断した場合（Ｔ３１１）、SCellのPRACH（Physical Random Access CHannel）リソースを用いたランダムアクセス手続きを開始して、無線通信装置NE32にランダムアクセスプリアンブルを送信する（Ｔ３１２）。無線通信装置NE32は、上りリソースの通知を含むランダムアクセス応答を作成し、端末UE3に送信する（Ｔ３１３）。端末UE3は、ランダムアクセス応答を受信すると、当該ランダムアクセス応答によって通知された上りリソースを用いて上りデータを無線通信装置NE32に送信する。
【０１１９】
なお、無線通信装置NE32は、処理Ｔ３１２で端末UE3から送信されたランダムアクセスプリアンブルを受信した場合、端末UE3からランダムアクセスプリアンブルを受信したことを無線通信装置NE31に通知してもよい。この場合、無線通信装置NE31が端末UE3にランダムアクセス応答を送信する。
【０１２０】
端末UE3は、処理Ｔ３１２によるSCellでのランダムアクセス手続きが失敗した場合、第１の実施形態の図１ＣのようにPCellでのランダムアクセス手続きを行っても良い。
【０１２１】
図１４に示した判断処理Ｔ３０７における、端末UE3による上りデータの優先度の高低の判断は、以下に示す判断方法例１〜７のいずれかに基づいて行われる。但し、判断方法例１〜７以外の判断方法に基づいても良い。なお、判断方法例２及び３で説明されるlogical channel並びに判断方法例４で説明されるベアラは、データを下位の通信レイヤを介して透過的に通すための仮想的な通信経路であるトンネルである。
【０１２２】
［判断方法例１］
高優先度の上りデータとは、遅延を許容できないデータ、又は、割り当てられた個別スケジューリング要求リソースまでの時間を許容できないデータである。低優先度の上りデータとは、遅延を許容できるデータ、又は、割り当てられた個別スケジューリング要求リソースまでの時間を許容できるデータである。
【０１２３】
［判断方法例２］
高優先度の上りデータとは、特定の「logical channel」上で送信されるデータである。低優先度の上りデータとは、特定の「logical channel」上で送信されるデータ以外のデータである。
【０１２４】
［判断方法例３］
高優先度の上りデータとは、特定の「logical channel group」上で送信されるデータである。低優先度の上りデータとは、特定の「logical channel group」上で送信されるデータ以外のデータである。
【０１２５】
［判断方法例４］
高優先度の上りデータとは、特定のベアラ上で送信されるデータである。低優先度の上りデータとは、特定のベアラ以外のベアラ上で送信されるデータである。
【０１２６】
［判断方法例５］
高優先度の上りデータとは、RRC層の制御情報である。低優先度の上りデータとは、RRC層の制御情報以外のデータである。
【０１２７】
［判断方法例６］
高優先度の上りデータとは、RRC層の制御情報である。低優先度の上りデータとは、RRC層の制御情報以外のデータである。
【０１２８】
［判断方法例６］
高優先度の上りデータとは、移動制御に関連するデータである。低優先度の上りデータとは、移動制御に関連しないデータである。
【０１２９】
［判断方法例７］
高優先度の上りデータとは、端末UE3が有する図示しないバッテリーの残容量が多い時に生起したデータである。低優先度の上りデータとは、端末UE3のバッテリーの残容量が少ない時に生起したデータである。
【０１３０】
上記説明した判断方法を用いて、端末UE3が上りデータの優先度を判断するための情報は、以下の方法を用いて端末UE3に設定される。
【０１３１】
［判断方法設定例１］
端末UE3には、判断方法が予め設定されている。端末UE3は、予め設定された判断方法を基に、生起した上りデータが高優先度か低優先度かを判断する。
【０１３２】
［判断方法設定例２］
端末UE3には、判断方法が予め設定されている。端末UE3には、無線通信装置NE31又は無線通信装置NE32から、低優先度の上りデータの場合はSCellにおいて端末主導のランダムアクセス手続きを許容するということを通知する１ビットの情報が個別制御情報によって通知される。端末UE3は、この情報が設定されている場合、予め設定された判断方法を基に、生起した上りデータが高優先度か低優先度かを判断する。
【０１３３】
［判断方法設定例３］
端末UE3は、無線通信装置NE31又は無線通信装置NE32から、個別制御情報によって判断方法が通知される。端末UE3は、通知された判断方法を基に、生起した上りデータが高優先度か低優先度かを判断する。なお、個別制御情報は、RRCのメッセージでもMACのメッセージでもよい。
【０１３４】
なお、上記判断方法設定例は一例であり、上記説明した判断方法設定例以外の方法を用いて、上りデータの優先度を判断するための情報を設定してもよい。
【０１３５】
［第３の実施形態の端末UE3の構成］
図１５は、第３の実施形態の無線通信システムを構成する端末UE3のブロック図である。図１５に示すように、第３の実施形態の端末UE3は、受信部１０１と、制御部３０３と、送信部１０５とを備える。制御部３０３は、第１の実施形態の制御部１０３が有するＤＳＲ管理部１１１及びＲＡＣＨ管理部１１３に加え、優先度判断部３１５をさらに有する。以下、本実施形態の制御部３０３、ＲＡＣＨ管理部１１３及び優先度判断部３１５について説明する。他の構成要素は第１の実施形態と同じであるため説明を省略する。
【０１３６】
制御部３０３は、受信部１０１に報知情報又は個別制御情報等の制御情報の受信を指示する。制御部３０３には、受信部１０１が受信した制御情報が入力される。制御部３０３に入力された制御情報に含まれるランダムアクセスチャネル設定（RACH config）に関する情報は、制御部３０３のＲＡＣＨ管理部１１３に入力される。また、制御部３０３に入力された制御情報に含まれる個別スケジューリング要求リソースの設定情報は、制御部３０３のＤＳＲ管理部１１１に入力される。
【０１３７】
制御部３０３は、予め設定された上りデータの優先度を判断するための判断方法設定情報、又は、個別制御情報で指示された上りデータの優先度を判断するための判断方法設定情報を、優先度判断部３１５に出力する。制御部３０３は、端末UE3の状態及び制御情報に基づいて、個別スケジューリング要求リソースの解放（release）をＤＳＲ管理部１１１に指示する。
【０１３８】
制御部３０３は、端末UE3に上りリソースが割り当てられていない場合に端末UE3で上りデータが生起して送信可能になると、スケジューリング要求（SR）の送信をＤＳＲ管理部１１１に指示する。なお、制御部３０３は、スケジューリング要求の送信をＤＳＲ管理部１１１に指示した後、端末UE3に上りリソースが割り当てられると、上りリソースが割り当てられたことをＤＳＲ管理部１１１に通知する。また、制御部３０３は、ＤＳＲ管理部１１１からスケジューリング要求を送信できないことが通知されると、優先度判断部３１５が上りデータの優先度を判断するために、上りデータに関する情報を優先度判断部３１５に入力する。制御部３０３は、優先度判断部３１５から出力された上りデータの優先度の判断結果と、ランダムアクセス手続きの開始指示とをＲＡＣＨ管理部１１３に出力する。
【０１３９】
制御部３０３は、ＲＡＣＨ管理部１１３から得られたランダムアクセス応答に含まれる、上りデータを送信するために必要な情報が入力されると、送信したい上りデータを、指示された上りリソースを用いて送信するように、送信部１０５へ指示する。また、制御部３０３は、ＲＡＣＨ管理部１１３から得られたランダムアクセス応答に含まれる当該上りデータを送信するために必要な情報と、衝突解決（Contention Resolution）が必要であることを示す情報とが入力されると、それらの情報を基にメッセージ（message 3）を作成して、当該メッセージを送信部１０５へ出力する。
【０１４０】
制御部３０３は、受信部１０１が衝突解決のメッセージを受信した場合、受信部１０１から入力された当該メッセージをＲＡＣＨ管理部１１３に出力する。一方、制御部３０３は、受信部１０１が衝突解決のメッセージを受信しない場合、ＲＡＣＨ管理部１１３にランダムアクセスプリアンブルの再送を指示する。制御部３０３は、ＲＡＣＨ管理部１１３からランダムアクセス手続きが失敗したことを通知されると、再接続（Re-establishment）の手続きを開始する。
【０１４１】
制御部３０３が有するＲＡＣＨ管理部１１３は、制御部３０３から入力されたランダムアクセスチャネル設定（RACH Config）のうち、SCell用のランダムアクセスチャネル設定をSCellRACH管理部１３３に出力し、PCell用のランダムアクセスチャネル設定をPCellRACH管理部１３１に出力する。ＲＡＣＨ管理部１１３は、制御部３０３からランダムアクセス手続きを開始するよう指示されると、SCellRACH管理部１３３及びPCellRACH管理部１３１のどちらにランダムアクセス手続きを開始するよう指示するかを判断する。ＲＡＣＨ管理部１１３は、制御部３０３から入力された上りデータの優先度が低優先度の場合において、SCellRACH管理部１３３にSCell用のランダムアクセスチャネル設定を設定した場合、SCellでランダムアクセス手続きを開始すると判断する。
【０１４２】
なお、ＲＡＣＨ管理部１１３は、SCellにおいて端末主導のランダムアクセス手続きを許容するという個別制御情報が入力されている場合に限り、SCellでランダムアクセス手続きを開始すると判断してもよい。この場合、端末UE3が勝手にSCellでランダムアクセス手続きを行うことを防ぐことができる。
【０１４３】
ＲＡＣＨ管理部１１３は、SCellでランダムアクセス手続きを開始すると判断すると、SCellRACH管理部１３３にランダムアクセス手続きを開始するよう指示する。ＲＡＣＨ管理部１１３は、SCellRACH管理部１３３にランダムアクセス手続きを開始するよう指示した後に、受信部１０１からランダムアクセス応答が入力されると、SCellRACH管理部１３３にこのランダムアクセス応答を出力する。
【０１４４】
ＲＡＣＨ管理部１１３は、SCellRACH管理部１３３から、ランダムアクセス応答に含まれる上りデータを送信するために必要な情報及びランダムアクセス手続きの成功が通知されると、上りデータを送信するために必要な情報及びランダムアクセス手続きの成功を制御部３０３に出力する。
【０１４５】
ＲＡＣＨ管理部１１３は、SCellRACH管理部１３３から、ランダムアクセス応答に含まれる上りデータを送信するために必要な情報及び衝突解決が必要であることを示す情報が通知されると、上りデータを送信するために必要な情報及び衝突解決が必要であることを示す情報を制御部３０３に出力する。また、この状態において、ＲＡＣＨ管理部１１３は、制御部３０３からランダムアクセスプリアンブルの再送が指示されると、ランダムアクセスプリアンブルの再送をSCellRACH管理部１３３に指示する。同様に、この状態において、ＲＡＣＨ管理部１１３は、受信部１０１が衝突解決のメッセージを受信したことが制御部３０３から通知されると、受信部１０１が衝突解決のメッセージを受信したことをSCellRACH管理部１３３に出力する。
【０１４６】
ＲＡＣＨ管理部１１３は、SCellRACH管理部１３３から、ランダムアクセス手続きの失敗が通知されると、PCellRACH管理部１３１にランダムアクセス手続きを開始するよう通知する。また、ＲＡＣＨ管理部１１３は、SCellにおいて端末主導のランダムアクセス手続きを開始できないと判断すると、PCellRACH管理部１３１にランダムアクセス手続きを開始するよう通知する。また、ＲＡＣＨ管理部１１３は、制御部３０３から入力された上りデータの優先度が高優先度の場合、PCellRACH管理部１３１にランダムアクセス手続きを開始するよう通知する。ＲＡＣＨ管理部１１３は、PCellRACH管理部１３１にランダムアクセス手続きを開始するよう指示した後に、受信部１０１からランダムアクセス応答が入力されると、PCellRACH管理部１３１にこのランダムアクセス応答を出力する。
【０１４７】
ＲＡＣＨ管理部１１３は、PCellRACH管理部１３１から、ランダムアクセス応答に含まれる上りデータを送信するために必要な情報及びランダムアクセス手続きの成功が通知されると、上りデータを送信するために必要な情報及びランダムアクセス手続きの成功を制御部３０３に出力する。
【０１４８】
ＲＡＣＨ管理部１１３は、PCellRACH管理部１３１から、ランダムアクセス応答に含まれる上りデータを送信するために必要な情報及び衝突解決が必要であることを示す情報が入力されると、上りデータを送信するために必要な情報及び衝突解決が必要であることを示す情報を制御部３０３に出力する。また、この状態において、ＲＡＣＨ管理部１１３は、制御部３０３からランダムアクセスプリアンブルの再送が指示されると、ランダムアクセスプリアンブルの再送をPCellRACH管理部１３１に指示する。同様に、この状態において、ＲＡＣＨ管理部１１３は、受信部１０１が衝突解決のメッセージを受信したことが制御部３０３から通知されると、受信部１０１が衝突解決のメッセージを受信したことをPCellRACH管理部１３１に出力する。
【０１４９】
優先度判断部３１５は、制御部３０３から入力された上りデータの優先度を判断するための判断方法設定情報を管理する。また、優先度判断部３１５は、制御部３０３から上りデータに関する情報が入力されると、管理している判断方法設定情報から当該上りデータの優先度を判断し、その判断結果（高優先度又は低優先度）を制御部３０３に出力する。
【０１５０】
［第３の実施形態の無線通信装置NE31の構成］
図１６は、第３の実施形態の無線通信システムを構成する無線通信装置NE31のブロック図である。図１６に示すように、第３の実施形態の無線通信装置NE31は、無線受信部１５１と、ネットワーク受信部１５３と、制御部３５５と、無線送信部１５７と、ネットワーク送信部１５９とを備える。第３の実施形態の無線通信装置NE31が第１の実施形態の無線通信装置NE11と異なる点は制御部３５５の動作であるため、以下、本実施形態の制御部３５５について説明する。
【０１５１】
制御部３５５は、第１の実施形態の制御部１５５が有する機能に加え、PCell及びSCellのいずれのPRACHリソースを用いてランダムアクセスプリアンブルを送信するかを判断するための判断方法設定情報を作成する機能を有する。なお、判断方法設定情報は、上記判断方法例１〜７で示した情報を含んでも良い。また、判断方法設定情報は、端末UE3が保持する判断方法設定情報を基に、上りデータが低優先度の場合はSCellにおいて端末手動のランダムアクセス手続きを開始してもよいことを示すフラグを含んでも良い。制御部３５５は、判断方法設定情報を含む個別制御情報を作成して無線送信部１５７に出力する。
【０１５２】
（第３の実施形態における端末UE3の動作）
以下、図１７を参照して、端末UE3に上りリソースが割り当てられていない状態で端末UE3に上りデータが生起して送信可能になった場合の端末UE3の動作について説明する。図１７は、第３の実施形態の無線通信システムにおいて、端末UE3に上りリソースが割り当てられていない状態で端末UE3に上りデータが生起して送信可能になった場合の端末UE3の動作を示すフローチャートである。なお、図１７では、第１の実施形態で図８に示したフローチャートのステップと同様のステップに同じ符号が付されている。
【０１５３】
図１７に示すように、端末UE3には、SCellにおける個別スケジューリング要求リソース（D-SR）が設定される（ステップＳ１０１）。次に、端末UE3は、上りリソースが割り当てられていない状態で上りデータが生起して送信可能になる（ステップＳ１０２）と、ステップＳ１０３に遷移する。
【０１５４】
ステップＳ１０３では、端末UE3は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ１０４に遷移し、個別スケジューリング要求リソースを用いたスケジューリング要求の送信回数が最大送信回数を超えている場合（Ｎｏの場合）はステップＳ３０６に遷移する。
【０１５５】
ステップＳ１０４では、端末UE3は、SCell上の個別スケジューリング要求リソースを用いてスケジューリング要求を送信する。次に、端末UE3は、上りリソースの割り当てを受信したか否かを判断し（ステップＳ１０５）、上りリソースが割り当てられた場合は一連の処理を終了し、上りリソースが割り当てられない場合はステップＳ１０３に戻る。
【０１５６】
ステップＳ３０６では、端末UE3は、優先度判断部３１５が管理する判断方法設定情報に基づいて、上りデータが高優先度か低優先度かを判断し、上りデータが低優先度であればステップＳ３０７に遷移し、高優先度であればステップＳ３１０に遷移する。
【０１５７】
ステップＳ３０７では、端末UE3は、SCellに端末主導でランダムアクセス手続きを開始することが許容されており、かつ、SCellにPRACHリソースが設定されているか否かを判断する。端末UE3は、SCellに端末主導でランダムアクセス手続きを開始するためのPRACHリソースが設定されていると判断した場合はステップＳ３０８に遷移し、SCellに端末主導でランダムアクセス手続きを開始するためのPRACHリソースが設定されていないと判断した場合はステップＳ３１０に遷移する。
【０１５８】
ステップＳ３０８では、端末UE3は、SCellでのランダムアクセス手続きを開始する。次に、端末UE3は、SCellでのランダムアクセス手続きが成功したか否かを判断し（ステップＳ３０９）、SCellでのランダムアクセス手続きが成功したと判断した場合は一連の処理を終了し、SCellでのランダムアクセス手続きが失敗したと判断した場合はステップＳ３１０に遷移する。
【０１５９】
ステップＳ３１０では、端末UE3は、PCellでのランダムアクセス手続きを開始する。なお、端末UE3は、PCellでのランダムアクセス手続きが失敗した場合、再接続手続きを開始する。
【０１６０】
以上説明したように、本実施形態によれば、端末UE3は、SCell上の個別スケジューリング要求リソースを用いてスケジューリング要求を送信するため、端末UE3のスケジューリング要求送信時における消費電力を低減できる。また、端末UE3がSCellでスケジューリング要求を行っても上りリソースが割り当てられない場合は、SCellの無線リンクの状態が悪くなっている可能性がある。高優先度の上りデータの送信に際しては、無線リンクがSCellよりも安定したPCellを用いてランダムアクセス手続きが行われるため、当該ランダムアクセス手続きが失敗する可能性は低い。したがって、端末UE3に上りリソースが割り当てられるまでの時間を短縮できる。一方、低優先度の上りデータの送信に際しては、SCellを用いてランダムアクセス手続きが行われるため、当該ランダムアクセス手続きを低い送信電力で行うことができ、端末UE3における消費電力を低減できる。また、PCellのPRACHリソースの使用頻度を下げることができるため、周波数リソースを有効活用できる。
【０１６１】
（第４の実施形態）
図１８〜図２１を参照して、第４の実施形態の無線通信システムについて説明する。第４の実施形態の無線通信システムが第２の実施形態の無線通信システムと異なる点は、端末が、SCell上の個別スケジューリング要求リソースを用いてスケジューリング要求を送信する場合の送信電力を算出するためのパスロス値が閾値以上か否かによって、SCell上の個別スケジューリング要求リソースを用いてスケジューリング要求を送信するか、PCellでランダムアクセス手続きを開始するかを判断する点である。この点以外は第２の実施形態と同様である。
【０１６２】
図１８は、第４の実施形態の無線通信システムにおける端末UE4と無線通信置NE41,NE42の間の処理を含むタイミングチャートの一例を示す図である。端末UE4は図１に示した端末UE1に等しく、無線通信装置NE41は図１に示した無線通信装置NE1及び第２の実施形態の無線通信装置NE21に等しく、無線通信装置NE42は図１に示した無線通信装置NE2及び第２の実施形態の無線通信装置NE22に等しい。また、端末UE4には、無線通信装置NE41が提供するPCellと無線通信装置NE42が提供するSCellを１つのコンポーネントキャリアセットとして使用するキャリアアグリゲーションが設定される。
【０１６３】
図１８に示すように、無線通信装置NE41は、SCell上の個別スケジューリング要求リソースを端末UE4に設定する制御情報を含む個別制御情報を端末UE4に送信する（Ｔ４０１）。
【０１６４】
上記処理Ｔ４０１において、個別制御情報は、RRC接続セットアップ（RRC Connection Setup）メッセージ、RRC再接続設定（RRC Connection Reconfiguration）メッセージ若しくは他のRRCメッセージ、又は、MAC層若しくは物理層のシグナリングで送信される。なお、個別制御情報は無線通信装置NE42が送信してもよい。
【０１６５】
端末UE4は、上りリソースの割り当てがない場合に上りデータが生起して送信可能になれば（Ｔ４０２）、SCell上の個別スケジューリング要求リソースを用いて無線通信装置NE42にスケジューリング要求（SR）を送信する場合のパスロス値として、パスロス参照セル（Pathloss Reference Cell）のDL（ダウンリンク）の受信電力を検出する（Ｔ４０３）。
【０１６６】
処理Ｔ４０３でパスロス参照セルのDLの受信電力が閾値以上と判断されると（Ｔ４０４）、端末UE4は、SCell上の個別スケジューリング要求リソースを用いてスケジューリング要求を無線通信装置NE42に送信する（Ｔ４０５）。無線通信装置NE42は、受信したスケジューリング要求（SR）に応じて割り当てた上りリソースを端末UE4に通知する（Ｔ４０６）。端末UE4は、通知された上りリソースを用いて上りデータを無線通信装置NE42に送信する（Ｔ４０７）。
【０１６７】
なお、無線通信装置NE42は、処理Ｔ４０７で端末UE4から送信されたスケジューリング要求（SR）を受信した場合、端末UE4からスケジューリング要求（SR）を受信したことを無線通信装置NE41に通知してもよい。この場合、無線通信装置NE41が端末UE4に上りリソースを割り当てる。このように、無線通信装置NE41及び無線通信装置NE42のどちらも上りリソースを割り当てることができれば、トラフィック量や端末UE4の受信品質に応じて、最適な上りリソースを端末UE4に割り当てることができる。
【０１６８】
一方、処理Ｔ４０３でパスロス参照セルのDLの受信電力が閾値未満と判断されると（Ｔ４０８）、端末UE4は、無線通信装置NE41にランダムアクセスプリアンブルを送信する（Ｔ４０９）。無線通信装置NE41は、上りリソースの通知を含むランダムアクセス応答を作成し、端末UE4に送信する（Ｔ４１０）。端末UE4は、ランダムアクセス応答を受信すると、当該ランダムアクセス応答によって通知された上りリソースを用いて上りデータを無線通信装置NE41に送信する。
【０１６９】
本実施形態では、端末UE4がパスロス参照セル（Pathloss Reference Cell）のDLの受信電力と閾値を比較するが、端末UE4は受信電力（dBm）の代わりに干渉電力も考慮した受信品質（dB）と閾値を比較しても良い。また、パスロス参照セルに限らず、スケジューリング要求を送信するSCellの送信タイミングを求めるためのタイミング参照セル（Timing Reference Cell）のDLの受信電力又は受信品質と閾値を比較しても良い。また、スケジューリング要求を送信するSCellのSIB2リンクのセル（SIB2 linked cell）のDLの受信電力又は受信品質と閾値を比較してもよい。さらに、端末UE4がSCell上の個別スケジューリング要求リソースを用いてスケジューリング要求を無線通信装置NE42に送信する場合の送信電力を算出するためのパスロス値を計算し、このパスロス値と閾値を比較してもよい。
【０１７０】
なお、端末UE4はパスロス参照セルのDLの受信電力を閾値と比較するが、端末UE4がパスロス参照セルのDLを検出できるか否かに応じて判断してもよい。すなわち、端末UE4がパスロス参照セルのDLを検出できない場合、端末UE4は、DLの受信電力が閾値未満であると判断する。また、端末UE4がパスロス値を計算できるか否かに応じて判断してもよい。すなわち、端末UE4がパスロス値を計算できない場合、端末UE4は、パスロス値が閾値未満であると判断する。他の場合も同様である。
【０１７１】
［第４の実施形態の端末UE4の構成］
図１９は、第４の実施形態の無線通信システムを構成する端末UE4のブロック図である。図１９に示すように、第４の実施形態の端末UE4は、受信部４０１と、制御部４０３と、送信部１０５とを備える。制御部４０３は、第２の実施形態の制御部２０３が有するＤＳＲ管理部１１１及びＲＡＣＨ管理部２１３に加え、SCellDL監視部４１５をさらに有する。以下、本実施形態の受信部４０１、制御部４０３及びSCellDL監視部４１５について説明する。他の構成要素は第２の実施形態と同じであるため説明を省略する。
【０１７２】
受信部４０１は、制御部４０３からの指示に応じて、端末UE4が接続しているセルのダウンリンクを介して、報知情報又は個別制御情報等の制御情報を受信する。受信部４０１は、受信した制御情報を制御部４０３へ出力する。また、受信部４０１は、ランダムアクセス応答を受信する。受信部４０１は、受信したランダムアクセス応答を制御部４０３のＲＡＣＨ管理部２１３へ出力する。さらに、受信部４０１は、衝突解決（Contention Resolution）のメッセージを受信する。受信部４０１は、受信した衝突解決のメッセージを制御部４０３に出力する。なお、受信部４０１が受信するランダムアクセス応答は、無線通信装置NE41から送信されたものであっても、無線通信装置NE42から送信されたものであってもよい。
【０１７３】
受信部４０１は、SCellDL監視部４１５からの指示に応じて、該当するセルのDLの受信電力をSCellDL監視部４１５に出力する。
【０１７４】
制御部４０３は、受信部４０１に報知情報又は個別制御情報等の制御情報の受信を指示する。制御部４０３には、受信部４０１が受信した制御情報が入力される。制御部４０３に入力された制御情報に含まれるランダムアクセスチャネル設定（RACH config）に関する情報は、制御部４０３のＲＡＣＨ管理部２１３に入力される。また、制御部４０３に入力された制御情報に含まれる個別スケジューリング要求リソースの設定情報は、制御部４０３のＤＳＲ管理部１１１に入力される。制御部４０３は、端末UE4の状態及び制御情報に基づいて、個別スケジューリング要求リソースの解放（release）をＤＳＲ管理部１１１に指示する。
【０１７５】
制御部４０３は、受信部４０１が受信した個別制御情報からパスロス参照セルのDLの受信電力と比較するための閾値を取得すると、その閾値をSCellDL監視部４１５に出力する。なお、制御部４０３は、端末UE4で、パスロス参照セルのDLの受信電力と比較するための閾値を生成してもよい。
【０１７６】
制御部４０３は、端末UE4に上りリソースが割り当てられていない場合に端末UE4で上りデータが生起して送信可能になると、スケジューリング要求（SR）を送信するセルにおけるパスロス参照セルのDLの受信電力が閾値以上であるか否かをSCellDL監視部４１５に問い合わせる。制御部４０３は、パスロス参照セルのDLの受信電力が閾値以上であるとSCellDL監視部４１５から通知されると、スケジューリング要求（SR）の送信をＤＳＲ管理部１１１に指示する。なお、制御部４０３は、スケジューリング要求の送信をＤＳＲ管理部１１１に指示した後、端末UE4に上りリソースが割り当てられると、上りリソースが割り当てられたことをＤＳＲ管理部１１１に通知する。制御部４０３は、ＤＳＲ管理部１１１からスケジューリング要求を送信できないことが通知されると、ランダムアクセス手続きの開始をＲＡＣＨ管理部２１３に指示する。また、制御部４０３は、パスロス参照セルのDLの受信電力が閾値未満であるとSCellDL監視部４１５から通知されると、ランダムアクセス手続きの開始をＲＡＣＨ管理部２１３に指示する。
【０１７７】
制御部４０３は、ＲＡＣＨ管理部２１３から得られたランダムアクセス応答に含まれる、上りデータを送信するために必要な情報が入力されると、送信したい上りデータを、指示された上りリソースを用いて送信するように、送信部１０５へ指示する。また、制御部４０３は、ＲＡＣＨ管理部２１３から得られたランダムアクセス応答に含まれる当該上りデータを送信するために必要な情報と、衝突解決（Contention Resolution）が必要であることを示す情報とが入力されると、それらの情報を基にメッセージ（message 3）を作成して、当該メッセージを送信部１０５へ出力する。
【０１７８】
制御部４０３は、受信部４０１が衝突解決のメッセージを受信した場合、受信部４０１から入力された当該メッセージをＲＡＣＨ管理部２１３に出力する。一方、制御部４０３は、受信部４０１が衝突解決のメッセージを受信しない場合、ＲＡＣＨ管理部２１３にランダムアクセスプリアンブルの再送を指示する。制御部４０３は、ＲＡＣＨ管理部２１３からランダムアクセス手続きが失敗したことを通知されると、再接続（Re-establishment）の手続きを開始する。
【０１７９】
SCellDL監視部４１５は、パスロス参照セルのDLの受信電力と比較するための閾値の設定が制御部４０３から入力されると、その設定を管理する。SCellDL監視部４１５は、閾値と比較するセルが制御部４０３から指示されると、当該セルのDLの受信電力を測定するよう受信部４０１に指示する。SCellDL監視部４１５は、受信部４０１から入力された当該セルのDLの受信品質と設定された閾値を比較する。SCellDL監視部４１５は、当該セルのDLの受信電力が閾値以上であるか否かを制御部４０３に出力する。
【０１８０】
［第４の実施携帯における無線通信装置NE41の構成］
図２０は、第４の実施形態の無線通信システムを構成する無線通信装置NE41のブロック図である。図２０に示すように、第４の実施形態の無線通信装置NE41は、無線受信部１５１と、ネットワーク受信部１５３と、制御部４５５と、無線送信部１５７と、ネットワーク送信部１５９とを備える。第４の実施形態の無線通信装置NE41が第２の実施形態の無線通信装置NE21と異なる点は制御部４５５の動作であるため、以下、本実施形態の制御部４５５について説明する。
【０１８１】
制御部４５５は、第２の実施形態の無線通信装置NE21が備える制御部２５５の機能に加え、端末UE4がパスロス参照セルのDLの受信電力と比較する閾値を作成する機能を有していても良い。この場合、制御部４５５は、当該閾値を含む個別制御情報を作成して無線送信部１５７に出力する。
【０１８２】
（第４の実施形態における端末UE4の動作）
以下、図２１を参照して、端末UE4に上りリソースが割り当てられていない状態で端末UE4に上りデータが生起して送信可能になった場合の端末UE4の動作について説明する。図２１は、第４の実施形態の無線通信システムにおいて、端末UE4に上りリソースが割り当てられていない状態で端末UE4に上りデータが生起して送信可能になった場合の端末UE4の動作を示すフローチャートである。なお、図２１では、第２の実施形態で図１２に示したフローチャートのステップと同様のステップに同じ符号が付されている。
【０１８３】
図２１に示すように、端末UE4には、SCellにおける個別スケジューリング要求リソース（D-SR）が設定される（ステップＳ１０１）。次に、端末UE4は、上りリソースが割り当てられていない状態で上りデータが生起して送信可能になる（ステップＳ１０２）と、ステップＳ４０３に遷移する。
【０１８４】
ステップＳ４０３では、端末UE4は、SCell上の個別スケジューリング要求リソースを用いてスケジューリング要求を送信する場合のパスロス参照セルのDLの受信電力を閾値と比較する。端末UE4は、パスロス参照セルのDLの受信電力が閾値以上の場合はステップＳ４０４に遷移し、パスロス参照セルのDLの受信電力が閾値未満の場合はステップＳ４０７に遷移する。
【０１８５】
ステップＳ４０４では、端末UE4は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ４０５に遷移し、個別スケジューリング要求リソースを用いたスケジューリング要求の送信回数が最大送信回数を超えている場合（Ｎｏの場合）はステップＳ４０７に遷移する。
【０１８６】
ステップＳ４０５では、端末UE4は、SCell上の個別スケジューリング要求リソースを用いてスケジューリング要求を送信する。次に、端末UE4は、上りリソースの割り当てを受信したか否かを判断し（ステップＳ４０６）、上りリソースが割り当てられた場合は一連の処理を終了し、上りリソースが割り当てられない場合はステップＳ４０４に戻る。
【０１８７】
ステップＳ４０７では、端末UE4は、PCellでのランダムアクセス手続きを開始する。なお、端末UE4は、PCellでのランダムアクセス手続きが失敗した場合、再接続手続きを開始する。
【０１８８】
以上説明したように、本実施形態によれば、端末UE4がSCell上の個別スケジューリング要求リソースを用いてスケジューリング要求を無線通信装置NE42に送信しても届かないような状況であれば、端末UE4は、実際にスケジューリング要求は送信せず、無線リンクがSCellよりも安定したPCellのランダムアクセス手続きを開始する。このため、端末UE4が無駄な送信処理を行わずにすむため、端末UE4における消費電力を低減でき、遅延時間も短縮できる。
【０１８９】
（第５の実施形態）
図２２〜図２６を参照して、第５の実施形態の無線通信システムについて説明する。第５の実施形態の無線通信システムにおいて、端末は、無線通信装置から上りリソースを割り当ててもらうために、スケジューリング要求（SR）を無線通信装置に送信する。無線通信装置は、スケジューリング要求に応じて、上りリソースを端末に割り当てる。また、無線通信装置は、各端末に対する無線リソース（例えば、周波数領域又は時間領域での周波数帯域）の割り当て及び管理を行い、端末のための無線アクセスネットワークのアクセスポイントの役割を有する。
【０１９０】
図２２及び図２３は、第５の実施形態の無線通信システムにおける端末UE5と無線通信装置NE51,NE52の間の処理を含むタイミングチャートの一例を示す図である。端末UE5は図１に示した端末UEに等しく、無線通信装置NE41は図１に示した無線通信装置NE1に等しく、無線通信装置NE42は図１に示した無線通信装置NE2に等しい。また、端末UE5には、無線通信装置NE51が提供するPCellと無線通信装置NE52が提供するSCellを１つのコンポーネントキャリアセットとして使用するキャリアアグリゲーションが設定される。
【０１９１】
図２２に示すように、無線通信装置NE51は、SCell上の個別スケジューリング要求リソース及びPCell上の個別スケジューリング要求リソースを端末UE5に設定する制御情報を含む個別制御情報を端末UE5に送信する（Ｔ５０１）。なお、当該制御情報には、SCell上又はPCell上における各スケジューリング要求の最大送信回数が含まれる。
【０１９２】
上記処理Ｔ５０１において、個別制御情報は、RRC接続セットアップ（RRC Connection Setup）メッセージ、RRC再接続設定（RRC Connection Reconfiguration）メッセージ若しくは他のRRCメッセージ、又は、MAC層若しくは物理層のシグナリングで送信される。なお、個別制御情報は無線通信装置NE52が送信してもよい。
【０１９３】
端末UE5は、上りリソースの割り当てがない場合に上りデータが生起して送信可能になれば（Ｔ５０２）、上りデータの優先度を判断する（Ｔ５０３）。
【０１９４】
端末UE5が上りデータは低優先度であると判断した場合（Ｔ５０４）、端末UE5は、SCell上の個別スケジューリング要求リソースを用いて無線通信装置NE52にスケジューリング要求（SR）を送信する（Ｔ５０５）。無線通信装置NE52は、受信したスケジューリング要求（SR）に応じて割り当てた上りリソースを端末UE5に通知する（Ｔ５０６）。端末UE5は、通知された上りリソースを用いて上りデータを無線通信装置NE52に送信する（Ｔ５０７）。
【０１９５】
一方、端末UE5が上りデータは高優先度であると判断した場合、又は、処理Ｔ５０５後、端末UE5が制御情報で設定された最大送信回数までSCellにおけるスケジューリング要求を無線通信装置NE52に送信しても上りリソースが割り当てられない場合（Ｔ５０８）、端末UE5は、PCell上の個別スケジューリング要求リソースを用いて無線通信装置NE51にスケジューリング要求（SR）を送信する（Ｔ５０９）。無線通信装置NE51は、受信したスケジューリング要求（SR）に応じて割り当てた上りリソースを端末UE5に通知する（Ｔ５１０）。端末UE5は、通知された上りリソースを用いて上りデータを無線通信装置NE51に送信する（Ｔ５１１）。
【０１９６】
図２３は、端末UE5がスケジューリング要求を行っても上りリソースが割り当てられない場合に、端末UE5と無線通信装置NE51の間で行われる処理を含むタイミングチャートの一例を示す図である。図２３に示すように、図２２に示した処理上記Ｔ５０９の後、端末UE5が制御情報で設定された最大送信回数までPCellにおけるスケジューリング要求を無線通信装置NE51に送信しても上りリソースが割り当てられない場合（Ｔ５１３）、端末UE5は、PCellのPRACH（Physical Random Access CHannel）リソースを用いたランダムアクセス手続きを開始して、無線通信装置NE51にランダムアクセスプリアンブルを送信する（Ｔ５１４）。無線通信装置NE51は、上りリソースの通知を含むランダムアクセス応答を作成し、端末UE5に送信する（Ｔ５１５）。端末UE5は、ランダムアクセス応答を受信すると、当該ランダムアクセス応答によって通知された上りリソースを用いて上りデータを無線通信装置NE51に送信する。
【０１９７】
［第５の実施形態の端末UE5の構成］
図２４は、第５の実施形態の無線通信システムを構成する端末UE5のブロック図である。図２４に示すように、第５の実施形態の端末UE5は、受信部５０１と、制御部５０３と、送信部５０５とを備える。制御部５０３は、ＤＳＲ管理部５１１と、ＲＡＣＨ管理部５１３と、優先度判断部５１５とを有する。ＤＳＲ管理部５１１は、SCellDSR管理部５２１と、PCellDSR管理部５２３とを有する。ＲＡＣＨ管理部５１３は、PCellRACH管理部１３１を有する。
【０１９８】
なお、受信部５０１及び送信部５０５は、第１の実施形態の受信部１０１及び送信部１０５と同様である。また、制御部５０３が有する優先度判断部５１５は、第３の実施形態の優先度判断部３１５と同様である。また、ＤＳＲ管理部５１１が有するSCellDSR管理部５２１は、第１の実施形態のSCellDSR管理部１２１と同様である。また、ＲＡＣＨ管理部５１３は、第２の実施形態のＲＡＣＨ管理部２１３と同様である。以下、本実施形態の制御部５０３、ＤＳＲ管理部５１１及びPCellDSR管理部５２３について説明する。
【０１９９】
制御部５０３は、受信部５０１に報知情報又は個別制御情報等の制御情報の受信を指示する。制御部５０３には、受信部５０１が受信した制御情報が入力される。制御部５０３に入力された制御情報に含まれるランダムアクセスチャネル設定（RACH config）に関する情報は、制御部５０３のＲＡＣＨ管理部５１３に入力される。また、制御部５０３に入力された制御情報に含まれる個別スケジューリング要求リソースの設定情報は、制御部５０３のＤＳＲ管理部５１１に入力される。制御部５０３は、端末UE5の状態及び制御情報に基づいて、個別スケジューリング要求リソースの解放（release）をＤＳＲ管理部５１１に指示する。
【０２００】
制御部５０３は、予め設定された上りデータの優先度を判断するための判断方法設定情報、又は、個別制御情報で指示された上りデータの優先度を判断するための判断方法設定情報を、優先度判断部５１５に出力する。制御部５０３は、端末UE5の状態及び制御情報に基づいて、個別スケジューリング要求リソースの解放（release）をＤＳＲ管理部５１１に指示する。
【０２０１】
制御部５０３は、端末UE5に上りリソースが割り当てられていない場合に端末UE5で上りデータが生起して送信可能になると、優先度判断部５１５が上りデータの優先度を判断するために、上りデータに関する情報を優先度判断部５１５に入力する。制御部５０３は、優先度判断部５１５から出力された上りデータの優先度の判断結果と、スケジューリング要求（SR）の送信をＤＳＲ管理部５１１に指示する。なお、制御部５０３は、スケジューリング要求の送信をＤＳＲ管理部５１１に指示した後、端末UE5に上りリソースが割り当てられると、上りリソースが割り当てられたことをＤＳＲ管理部５１１に通知する。また、制御部５０３は、ＤＳＲ管理部５１１からスケジューリング要求を送信できないことが通知されると、ＲＡＣＨ管理部５１３にランダムアクセス手続きの開始を指示する。
【０２０２】
制御部５０３は、ＲＡＣＨ管理部５１３から得られたランダムアクセス応答に含まれる、上りデータを送信するために必要な情報が入力されると、送信したい上りデータを、指示された上りリソースを用いて送信するように、送信部５０５へ指示する。また、制御部５０３は、ＲＡＣＨ管理部５１３から得られたランダムアクセス応答に含まれる当該上りデータを送信するために必要な情報と、衝突解決（Contention Resolution）が必要であることを示す情報とが入力されると、それらの情報を基にメッセージ（message 3）を作成して、当該メッセージを送信部５０５へ出力する。
【０２０３】
制御部５０３は、受信部５０１が衝突解決のメッセージを受信した場合、受信部５０１から入力された当該メッセージをＲＡＣＨ管理部５１３に出力する。一方、制御部５０３は、受信部５０１が衝突解決のメッセージを受信しない場合、ＲＡＣＨ管理部５１３にランダムアクセスプリアンブルの再送を指示する。制御部５０３は、ＲＡＣＨ管理部５１３からランダムアクセス手続きが失敗したことを通知されると、再接続（Re-establishment）の手続きを開始する。
【０２０４】
制御部５０３が有するＤＳＲ管理部５１１は、制御部５０３から入力された個別スケジューリング要求リソースの設定情報を管理する。なお、個別スケジューリング要求リソースの設定情報は、個別スケジューリング要求リソース（sr-PUUCCH-ResourceIndex, sr-ConfigIndex, sr-PUCCH-ResourceIndexP1-r10）、及び、個別スケジューリング要求リソースを用いたスケジューリング要求（SR）の最大送信可能回数(dsr-Trans)などを含む。また、ＤＳＲ管理部５１１は、制御部５０３から指示された個別スケジューリング要求リソースに関する現在の設定の解放（release）を行う。
【０２０５】
ＤＳＲ管理部５１１は、制御部５０３からSCellにおける個別スケジューリング要求リソースの送信が指示された場合、SCellに関する個別スケジューリング要求リソースの設定情報をSCellDSR管理部５２１に出力する。また、ＤＳＲ管理部５１１は、制御部５０３からSCellに関する個別スケジューリング要求リソースの現在の設定の解放（release）が指示されると、SCellDSR管理部５２１に個別スケジューリング要求リソースの設定の解放（release）を指示する。
【０２０６】
また、ＤＳＲ管理部５１１は、制御部５０３からPCellにおける個別スケジューリング要求リソースの送信が指示された場合、PCellに関する個別スケジューリング要求リソースの設定情報をPCellDSR管理部５２３に出力する。また、ＤＳＲ管理部５１１は、制御部５０３からPCellに関する個別スケジューリング要求リソースの現在の設定の解放（release）が指示されると、PCellDSR管理部５２３に個別スケジューリング要求リソースの設定の解放（release）を指示する。
【０２０７】
ＤＳＲ管理部５１１は、優先度判断部５１５による上りデータの優先度の判断結果と、スケジューリング要求（SR）の送信の指示とが制御部５０３から入力されると、上りデータが低優先度の場合、SCellDSR管理部５２１にスケジューリング要求を送信するよう指示する。この後、ＤＳＲ管理部５１１は、端末UE5に上りリソースが割り当てられたことが制御部５０３から通知されると、SCellDSR管理部５２１に上りリソースが割り当てられたことを通知する。
【０２０８】
ＤＳＲ管理部５１１は、SCellDSR管理部５２１から、個別スケジューリング要求リソースが設定されていないことを通知され、端末UE5がスケジューリング要求を送信できない状態であると判断すると、PCellDSR管理部５２３にスケジューリング要求を送信するよう指示する。また、ＤＳＲ管理部５１１は、SCellDSR管理部５２１からスケジューリング要求の送信に失敗したことが通知され、SCellを提供する無線通信装置にスケジューリング要求を送信できないと判断すると、PCellDSR管理部５２３にスケジューリング要求を送信するように指示する。
【０２０９】
また、ＤＳＲ管理部５１１は、優先度判断部５１５による上りデータの優先度の判断結果と、スケジューリング要求（SR）の送信の指示とが制御部５０３から入力されると、上りデータが高優先度の場合、PCellDSR管理部５２３にスケジューリング要求を送信するように指示する。この後、ＤＳＲ管理部５１１は、端末UE5に上りリソースが割り当てられたことが制御部５０３から通知されると、PCellDSR管理部５２３に上りリソースが割り当てられたことを通知する。
【０２１０】
ＤＳＲ管理部５１１は、PCellDSR管理部５２３ら、個別スケジューリング要求リソースが設定されていないことを通知され、端末UE5がスケジューリング要求を送信できない状態であると判断すると、制御部５０３にスケジューリング要求を送信できないと通知する。また、ＤＳＲ管理部５１１は、PCellDSR管理部５２３からスケジューリング要求の送信に失敗したことを通知され、端末UE5がスケジューリング要求を送信できない状態であると判断すると、制御部５０３にスケジューリング要求を送信できないと通知する。
【０２１１】
ＤＳＲ管理部５１１が有するPCellDSR管理部５２３は、ＤＳＲ管理部５１１からスケジューリング要求を送信するように指示されると、スケジューリング要求を生成する。さらに、PCellDSR管理部５２３は、個別スケジューリング要求リソースの設定情報に基づくタイミングでスケジューリング要求を送信するよう送信部５０５に指示する。但し、PCellDSR管理部５２３は、個別スケジューリング要求リソースが設定されていない場合、個別スケジューリング要求リソースが設定されていないことをＤＳＲ管理部５１１に通知する。
【０２１２】
PCellDSR管理部５２３は、端末UE5に上りリソースが割り当てられたことがＤＳＲ管理部５１１から通知されると、スケジューリング要求の送信指示を停止する。一方、スケジューリング要求の送信回数が最大送信可能回数（dsr-Trans）に達しても上りリソースの割り当てが通知されない場合、PCellDSR管理部５２３は、スケジューリング要求が失敗したことをＤＳＲ管理部５１１に通知する。この場合、PCellDSR管理部５２３は、設定されていた個別スケジューリング要求リソースを解放（release）する。
【０２１３】
［第５の実施形態の無線通信装置NE51の構成］
図２５は、第５の実施形態の無線通信システムを構成する無線通信装置NE51のブロック図である。図２５に示すように、第５の実施形態の無線通信装置NE51は、無線受信部１５１と、ネットワーク受信部１５３と、制御部５５５と、無線送信部１５７と、ネットワーク送信部１５９とを備える。第５の実施形態の無線通信装置NE51が第１の実施形態の無線通信装置NE11と異なる点は制御部５５５の動作であるため、以下、本実施形態の制御部５５５について説明する。
【０２１４】
制御部５５５は、第１の実施形態の無線通信装置NE11が備える制御部１５５の機能に加え、SCell上の個別スケジューリング要求リソースを用いてスケジューリング要求を送信するか、PCell上の個別スケジューリング要求リソースを用いてスケジューリング要求を送信するかを判断するための判断方法設定情報を作成する機能を有していても良い。なお、判断方法設定情報は、第３の実施形態で説明した判断方法例１〜７で示した情報を含んでも良い。また、判断方法設定情報は、端末UE5が保持する判断方法設定情報を基に、上りデータが低優先度の場合はSCellにおいて端末手動のランダムアクセス手続きを開始してもよいことを示すフラグを含んでも良い。制御部５５５は、判断方法設定情報を含む個別制御情報を作成して無線送信部１５７に出力する。
【０２１５】
（第５の実施形態における端末UE5の動作）
以下、図２６を参照して、端末UE5に上りリソースが割り当てられていない状態で端末UE5に上りデータが生起して送信可能になった場合の端末UE5の動作について説明する。図２６は、第５の実施形態の無線通信システムにおいて、端末UE5に上りリソースが割り当てられていない状態で端末UE5に上りデータが生起して送信可能になった場合の端末UE5の動作を示すフローチャートである。
【０２１６】
図２６に示すように、端末UE5は、SCell及びPCellにおける個別スケジューリング要求リソース（D-SR）が設定される（ステップＳ５０１）。次に、端末UE5は、上りリソースが割り当てられていない状態で上りデータが生起して送信可能になる（ステップＳ５０２）と、ステップＳ５０３に遷移する。
【０２１７】
ステップＳ５０３では、端末UE5は、優先度判断部５１５が管理する判断方法設定情報に基づいて、上りデータが高優先度か低優先度かを判断し、上りデータが低優先度であればステップＳ５０４に遷移し、高優先度であればステップＳ５０８に遷移する。
【０２１８】
ステップＳ５０４では、端末UE5は、個別スケジューリング要求リソースがSCellに設定されているか否かを判断し、SCellに設定されていればステップＳ５０５に遷移し、SCellに設定されていない場合はステップＳ５０８に遷移する。ステップＳ５０５では、端末UE5は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ５０６に遷移し、個別スケジューリング要求リソースを用いたスケジューリング要求の送信回数が最大送信回数を超えている場合（Ｎｏの場合）はステップＳ５０８に遷移する。
【０２１９】
ステップＳ５０６では、端末UE5は、SCell上の個別スケジューリング要求リソースを用いてスケジューリング要求を送信する。次に、端末UE5は、上りリソースの割り当てを受信したか否かを判断し（ステップＳ５０７）、上りリソースが割り当てられた場合は一連の処理を終了し、上りリソースが割り当てられない場合はステップＳ５０５に戻る。
【０２２０】
ステップＳ５０８では、端末UE5は、個別スケジューリング要求リソースがPCellに設定されているか否かを判断し、PCellに設定されていればステップＳ５０９に遷移し、PCellに設定されていない場合はステップＳ５１２に遷移する。ステップＳ５０９では、端末UE5は、個別スケジューリング要求リソースを用いたスケジューリング要求の送信回数が最大送信回数を超えていない（スケジューリング要求の送信回数≦最大送信回数）か否かを判断する。個別スケジューリング要求リソースを用いたスケジューリング要求の送信回数が最大送信回数を超えていない場合（Ｙｅｓの場合）はステップＳ５１０に遷移し、個別スケジューリング要求リソースを用いたスケジューリング要求の送信回数が最大送信回数を超えている場合（Ｎｏの場合）はステップＳ５１２に遷移する。
【０２２１】
ステップＳ５１０では、端末UE5は、PCell上の個別スケジューリング要求リソースを用いてスケジューリング要求を送信する。次に、端末UE5は、上りリソースの割り当てを受信したか否かを判断し（ステップＳ５１１）、上りリソースが割り当てられた場合は一連の処理を終了し、上りリソースが割り当てられない場合はステップＳ５０９に戻る。
【０２２２】
ステップＳ５１２では、端末UE5は、PCellでのランダムアクセス手続きを開始する。なお、端末UE5は、PCellでのランダムアクセス手続きが失敗した場合、再接続手続きを開始する。
【０２２３】
以上説明したように、本実施形態では、上りデータが低優先度であれば、端末UE5は、SCell上の個別スケジューリング要求リソースを用いてスケジューリング要求を送信するため、端末UE5における消費電力を低減できる。また、上りデータが高優先度であれば、端末UE5は必ずPCellで上りリソースを要求するため、無線通信装置NE51がPCellでの上りリソースの要求を優先して取り扱うことができる。このため、無線通信装置NE51における上りリソースの割り当てに関するスケジューリングが容易になる。
【０２２４】
なお、上記各実施形態では、端末がPCellのダウンリンクを介して個別制御情報を取得する例を記載したが、端末は、SCellのダウンリンクを介して個別制御情報を取得してもよい。また、PCellとSCellを異なる無線通信装置が提供する例を記載したが、PCellとSCellを同じ無線通信装置が提供してもよい。さらに、スケジューリング要求を受信した無線通信装置とは異なる無線通信装置が端末に上りリソースを通知してもよい。また、ランダムアクセスプリアンブルを受信した無線通信装置とは異なる無線通信装置が端末にランダムアクセス応答を送信してもよい。
【０２２５】
なお、第４の実施形態で説明した方法は、上記他の実施形態と組み合わせて使用することができる。
【０２２６】
なお、第４の実施形態で説明した個別スケジューリング要求リソースを用いてスケジューリング要求を送信する際の送信電力の算出に用いるパスロス参照セルのDLの受信電力が閾値以上か否かの判断を、第３の実施形態で説明した上りデータが高優先度か否かの判断と置き換えても良い。このようにすることで、端末は、上りデータが低優先度の場合は、SCell上の個別スケジューリング要求リソースを用いてスケジューリング要求を送信し、上りデータが高優先度の場合は、PCellでランダムアクセス手続きを開始する。この場合、上りデータが高優先度であれば、常にPCellで上りリソースを要求するため、端末の消費電力を低減し、無線通信装置における上りリソースの割り当てに関するスケジューリングが容易にできる。なお、この場合、SCellでの個別スケジューリング要求リソースを用いたスケジューリング要求に失敗した後、SCellにおいて端末主導のランダムアクセス手続きが許容されている場合、端末は、SCellにおいてランダムアクセス手続きを開始してもよい。
【０２２７】
なお、上記各実施形態では、キャリアアグリゲーションの運用をPCellとSCellを用いて説明したが、通信セルという概念をコンポーネントキャリアと読み替えても良い。また、複数の無線通信装置又はアンテナを用いて、仮想的なセルを形成する仮想セル（Virtual Cell）と読み替えてもよい。また、複数の無線通信装置又はアンテナが協調動作することにより、カバレッジが変化する幽霊セル（Phantom Cell）と読み替えても良い。
【０２２８】
なお、上記各実施形態において、個別スケジューリング要求リソースが設定されたセルのSIB2リンクのDLセル（SIB2 linked DL cell）がdeactivateされた場合、端末は当該個別スケジューリング要求リソースを用いたスケジューリング要求を送信しない。これは、deactivateされたセルでは送信電力が正しく計算できないためである。なお、端末は、個別スケジューリング要求リソースが設定されたセルのSIB2リンクのDLセル（SIB2 linked DL cell）がdeactivateされた場合、当該個別スケジューリング要求リソースを解放して
もよい。このようにすることで、当該リソースを他の端末に割り当てることができる。
【０２２９】
なお、上記各実施形態において、設定された個別スケジューリング要求リソースを使用できない場合、個別スケジューリング要求の送信回数が最大値に達した場合と同様の動作を行う。ただし、ランダムアクセス手続きを開始するセルがdeactivate状態の場合は、PCellにおいてランダムアクセス手続きを開始する。
【０２３０】
上記各実施形態では、本開示をハードウェアで構成する場合を例にとって説明したが、本開示はハードウェアとの連携においてソフトウェアで実現することも可能である。
【０２３１】
また、上記各実施形態の説明に用いた各機能ブロックは、典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０２３２】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０２３３】
さらには、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてありえる。
【０２３４】
なお、上記実施形態ではアンテナとして説明したが、アンテナポートでも同様に適用できる。アンテナポート（Antenna port）とは、１本又は複数の物理アンテナから構成される論理的なアンテナを指す。すなわち、アンテナポートは必ずしも１本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【０２３５】
以上説明した各実施の形態は、次のような態様の開示を含むものである。
【０２３６】
＜無線通信端末UEの開示１＞
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、
を備えた無線通信端末。
【０２３７】
＜無線通信端末UEの開示２＞
上記開示１に記載の無線通信端末であって、
前記ＲＡＣＨ管理部は、
前記スケジューリング要求を送信しても上りリソースが割り当てられない場合、前記第２セルでのランダムアクセス手続きを行い、
前記第２セルでのランダムアクセス手続きに失敗した場合、前記第１セルでのランダムアクセス手続きを行う無線通信端末。
【０２３８】
＜無線通信端末UEの開示３＞
上記開示１に記載の無線通信端末であって、
前記ＲＡＣＨ管理部は、
前記スケジューリング要求を送信しても上りリソースが割り当てられない場合、前記第１セルでのランダムアクセス手続きを行う無線通信端末。
【０２３９】
＜無線通信端末UEの開示４＞
上記開示１に記載の無線通信端末であって、
所定の判断方法により前記上りデータの優先度の高低を判断する優先度判断部を備え、
前記ＲＡＣＨ管理部は、
前記上りデータの優先度が高いと判断された場合、前記第１セルでのランダムアクセス手続きを行い、
前記上りデータの優先度が低いと判断された場合、前記第２セルでのランダムアクセス手続きを行う無線通信端末。
【０２４０】
＜無線通信端末UEの開示５＞
上記開示４に記載の無線通信端末であって、
前記ＲＡＣＨ管理部は、
前記第２セルでのランダムアクセス手続きに失敗した場合、前記第１セルでのランダムアクセス手続きを行う無線通信端末。
【０２４１】
＜無線通信端末UEの開示６＞
上記開示１〜５のいずれか一項に記載の無線通信端末であって、
前記スケジューリング要求を送信しても上りリソースが割り当てられない場合とは、前記ＤＳＲ管理部が前記スケジューリング要求を所定回数、前記無線通信装置に送信しても、前記無線通信端末に上りリソースが割り当てられない場合である無線通信端末。
【０２４２】
＜無線通信端末UEの開示７＞
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信する場合のパスロス値を閾値と比較する比較部と、
前記パスロス値が前記閾値以上の場合、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記パスロス値が前記閾値未満の場合、ランダムアクセスプリアンブルを前記無線通信装置に送信して、前記無線通信装置に上りリソースの割り当てを要求する前記第１セルでのランダムアクセス手続きを行うＲＡＣＨ管理部と、
を備えた無線通信端末。
【０２４３】
＜無線通信端末UEの開示８＞
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、所定の判断方法により前記上りデータの優先度の高低を判断する優先度判断部と、
前記上りデータの優先度が低いと判断された場合、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記上りデータの優先度が高いと判断された場合、ランダムアクセスプリアンブルを前記無線通信装置に送信して、前記無線通信装置に上りリソースの割り当てを要求する前記第１セルでのランダムアクセス手続きを行うＲＡＣＨ管理部と、
を備えた無線通信端末。
【０２４４】
＜無線通信端末UEの開示９＞
上記開示７又は８に記載の無線通信端末であって、
前記ＤＳＲ管理部が前記スケジューリング要求を所定回数、前記無線通信装置に送信しても、前記無線通信端末に上りリソースが割り当てられない場合、前記ＲＡＣＨ管理部は、前記第１セルでのランダムアクセス手続きを行う無線通信端末。
【０２４５】
＜無線通信端末UEの開示１０＞
無線通信端末であって、前記無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された場合であって、
前記無線通信端末に上りリソースが割り当てられていない場合、前記無線通信端末に上りデータが生起すると、所定の判断方法により前記上りデータの優先度の高低を判断する優先度判断部と、
前記第１セル又は前記第２セル上の個別スケジューリング要求リソースを用いてスケジューリング要求を前記無線通信装置に送信して、前記無線通信装置に上りリソースの割り当てを要求する処理をするＤＳＲ管理部と、を備え、
前記上りデータの優先度が低いと判断された場合、前記ＤＳＲ管理部は、前記第２セル上の個別スケジューリング要求リソースを用いたスケジューリング要求を送信し、
前記上りデータの優先度が高いと判断された場合、又は、前記第２セルでスケジューリング要求を送信しても上りリソースが割り当てられない場合、前記ＤＳＲ管理部は、前記第１セル上の個別スケジューリング要求リソースを用いたスケジューリング要求を送信する無線通信端末。
【０２４６】
＜無線通信端末UEの開示１１＞
上記開示１０に記載の無線通信端末であって、
前記第１セルでスケジューリング要求を送信しても上りリソースが割り当てられない場合、ランダムアクセスプリアンブルを前記無線通信装置に送信して、前記無線通信装置に上りリソースの割り当てを要求する前記第１セルでのランダムアクセス手続きを行うＲＡＣＨ管理部を備えた無線通信端末。
【０２４７】
＜無線通信端末UEの開示１２＞
上記開示１０又は１１に記載の無線通信端末であって、
前記スケジューリング要求を送信しても上りリソースが割り当てられない場合とは、前記ＤＳＲ管理部が前記スケジューリング要求を所定回数、前記無線通信装置に送信しても、前記無線通信端末に上りリソースが割り当てられない場合である無線通信端末。
【０２４８】
＜無線通信装置NEの開示１＞
キャリアアグリゲーションで使用するコンポーネントキャリアセットを構成する２種類のセルの内、第１セルよりもセルカバレッジが小さい第２セルを提供する、無線通信端末と通信可能な無線通信装置であって、
前記無線通信端末が利用可能な前記第２セル上の個別スケジューリング要求リソースに関する設定情報を含む個別制御情報を前記無線通信端末に送信する無線通信装置。
【０２４９】
＜無線通信装置NEの開示２＞
上記開示１に記載の無線通信装置であって、
前記個別制御情報は、上りリソースの割り当てを求めるために前記第２セルにおいて前記無線通信端末主導のランダムアクセス手続きの開始を指示する許容情報を含む無線通信装置。
【０２５０】
＜無線通信システムの開示＞
キャリアアグリゲーションで使用するコンポーネントキャリアセットを構成する２種類のセルの内、第１セルよりもセルカバレッジが小さい第２セルを提供する、無線通信端末と通信可能な無線通信装置と、
前記無線通信装置に上りリソースの割り当てを要求するためのスケジューリング要求を送信する際に用いる個別スケジューリング要求リソースが前記第２セル上に設定された無線通信端末と、を備えた無線通信システムであって、
前記無線通信装置は、前記無線通信端末が利用可能な前記第２セル上の個別スケジューリング要求リソースに関する設定情報を含む個別制御情報を前記無線通信端末に送信し、
前記無線通信端末は、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理をするＤＳＲ管理部と、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行うＲＡＣＨ管理部と、を備える無線通信システム。
【０２５１】
＜上りリソース要求処理方法の開示＞
無線通信端末と通信可能な無線通信装置に上りリソースの割り当てを要求するためのスケジューリング要求を送信する際に用いる個別スケジューリング要求リソースが、キャリアアグリゲーションで使用するコンポーネントキャリアセットを構成する２種類のセルの内、第１セルよりもセルカバレッジが小さい第２セル上に設定された前記無線通信端末による上りリソース要求処理方法であって、
前記無線通信端末に上りリソースが割り当てられていない場合、前記無線通信端末に上りデータが生起すると、前記第２セル上の個別スケジューリング要求リソースを用いてスケジューリング要求を前記無線通信装置に送信して、前記無線通信装置に上りリソースの割り当てを要求する処理を行い、
前記スケジューリング要求に応じた上りリソースの割り当てが行われない場合、ランダムアクセスプリアンブルを前記無線通信装置に送信して、前記無線通信装置に上りリソースの割り当てを要求するランダムアクセス手続きを行う上りリソース要求処理方法。
【０２５２】
本発明を詳細にまた特定の実施態様を参照して説明したが、本発明の精神と範囲を逸脱することなく様々な変更や修正を加えることができることは当業者にとって明らかである。
【０２５３】
本出願は、2012年5月31日出願の日本特許出願（特願2012-123831）に基づくものであり、その内容はここに参照として取り込まれる。
【産業上の利用可能性】
【０２５４】
本開示に係る無線通信端末及び無線通信装置は、無線通信端末における消費電力を低減しつつ、無線通信装置との間のコネクティビティの信頼性を維持可能な無線通信端末及び無線通信装置等として有用である。
【符号の説明】
【０２５５】
UE,UE1,UE2,UE3,UE4,UE5  無線通信端末（端末）
NE1,NE2,NE11,NE12,NE21,NE22,NE31,NE32,NE41,NE42,NE51,NE52  無線通信装置
１０１，４０１，５０１  受信部
１０３，２０３，３０３，４０３，５０３  制御部
１０５，５０５  送信部
１１１，５１１  ＤＳＲ管理部
１１３，２１３，５１３  ＲＡＣＨ管理部
１２１，５２１  SCellDSR管理部
１３１  PCellRACH管理部
１３３  SCellRACH管理部
３１５，５１５  優先度判断部
４１５  SCellDL監視部
５２３  PCellDSR管理部
１５１，１６１  無線受信部
１５３，１６３  ネットワーク受信部
１５５，１６５，３５５，４５５，５５５  制御部
１５７，１６７  無線送信部
１５９，１６９  ネットワーク送信部
【図１】
2013179590.tif 000003
【図２】
2013179590.tif 000004
【図３】
2013179590.tif 000005
【図４】
2013179590.tif 000006
【図５】
2013179590.tif 000007
【図６】
2013179590.tif 000008
【図７】
2013179590.tif 000009
【図８】
2013179590.tif 000010
【図９】
2013179590.tif 000011
【図１０】
2013179590.tif 000012
【図１１】
2013179590.tif 000013
【図１２】
2013179590.tif 000014
【図１３】
2013179590.tif 000015
【図１４】
2013179590.tif 000016
【図１５】
2013179590.tif 000017
【図１６】
2013179590.tif 000018
【図１７】
2013179590.tif 000019
【図１８】
2013179590.tif 000020
【図１９】
2013179590.tif 000021
【図２０】
2013179590.tif 000022
【図２１】
2013179590.tif 000023
【図２２】
2013179590.tif 000024
【図２３】
2013179590.tif 000025
【図２４】
2013179590.tif 000026
【図２５】
2013179590.tif 000027
【図２６】
2013179590.tif 000028
【図２７】
2013179590.tif 000029
【国際調査報告】
2013179590.tif 000030
2013179590.tif 000031